(57)【特許請求の範囲】
【請求項１】
少なくとも上部がクッション性を有する第１及び第２の枕側部と、
該第１の枕側部と該第２の枕側部との間隔を調整自在に制限する間隔制限手段と、
を有する枕本体を備え、該第１及び第２の枕側部はそれぞれ、自由状態で対向側端部底面の高さが枕の長手方向中央部に向かうほど連続的又はステップ状に高くなっていて、該中央部に後頭部を載置した仰臥状態で該第１及び第２の枕側部の上面が対向側に傾斜しており、
該第１及び第２の枕側部はいずれも、互いに略平行な上面及び下面を有するブロックを斜めにカットした形状のクッション性部材を有し、該第１及び第２の枕側部の対向面が、該斜めの略平面であり、
該間隔の調整により、該後頭部の高さ位置が調整され、該第１及び第２の枕側部が離間している状態で該仰臥状態になると該略平面が寝床に当接し、この仰臥状態から人体を横転させて横臥状態に回転移動する際に該第１及び第２の枕側部のうち頭部が載っている横転移動側の枕側部が該横転に追従して回転することを特徴とする枕。
【請求項２】
該第１及び第２の枕側部はいずれも、積層された複数のクッション性部材を有し、隣り合う該クッション性部材の間が、該クッション性部材を収容する袋に取着された点ファスナー又は面ファスナーを介して結合されていることを特徴とする請求項１に記載の枕。
【請求項３】
該間隔制限手段は、
該第１及び第２の枕側部のそれぞれの、該枕の短手方向の一対の側面のそれぞれに取り付けられた第１及び第２のガイドと、
該第１及び第２の枕側部のそれぞれの、該枕の長手方向外側の端面に取り付けられた第３のガイドと、
紐と、
を有し、該紐の中央部から一方側が、該第１の枕側部の、該第１のガイド、該第３のガイド及び該第２のガイドの順に案内され、該紐の該中央部から他方側が、該第２の枕側部の、該第１のガイド、該第３のガイド及び該第２のガイドの順に案内され、該紐の両端部が合わさて固定され、該合わされて固定される位置により該第１の枕側部と該第２の枕側部との間隔の制限が調整されることを特徴とする請求項１又は２に記載の枕。
【請求項４】
該間隔制限手段は、
該第１及び第２の枕側部のそれぞれの、該枕の短手方向の一対の側面のそれぞれに取り付けられた第１及び第２のガイドと、
該第１及び第２の枕側部のそれぞれの、該枕の長手方向外側の端面に取り付けられた第３のガイドと、
該第１及び第２の枕側部の上に横たわって配置され、長手方向の一端部及び他端部が直接又はリードを介してそれぞれ該第１及び第２の枕側部の該第３のガイドに案内される、フレキシブルな帯状物と、
該帯状物の該一端部及び該他端部にそれぞれ直接又は該リードを介して取り付けられた第４及び第５のガイドと、
紐と、
を有し、該紐の中央部から一方側が、該第１の枕側部の該第１のガイド、該第４のガイド及び該第１の枕側部の該第２のガイドの順に案内され、該紐の該中央部から他方側が、該第２の枕側部の該第１のガイド、該第５のガイド及び該第１の枕側部の該第２のガイドの順に案内され、該紐の両端部が合わさて固定され、該合わされて固定される位置により該第１の枕側部と該第２の枕側部との間隔の制限が調整されることを特徴とする請求項１又は２に記載の枕。
【請求項５】
該枕本体を収容する枕本体収容体をさらに有し、
該紐の中央部と、該枕本体収容体の長手方向中央部とにそれぞれ係着手段が設けられ、両係着手段が互いに着脱自在であることを特徴とする請求項３又は４に記載の枕。
【請求項６】
該枕本体はさらに、
該帯状物を介し該第１及び第２の枕側部の上に横たわって配置され、該帯状物に着脱自在に係着される枕上部と、
該枕上部の長手方向中央部かつ短手方向一方側に一端部が固着された支持部と、
一端部及び他端部がそれぞれ該枕上部の短手方向一端部及び他端部に固着され、該枕上部との間に該第１及び第２の枕側部のそれぞれの一部が通されるバンド部と、
を有し、該紐の中央部と、該支持部とにそれぞれ係着手段が設けられ、両係着手段が互いに着脱自在であり、該紐の該合わされて固定される位置を把持して該枕本体を吊り下げた場合に該第１及び第２の枕側部が該枕上部から離脱するのを該バンド部で阻止するようにしたことを特徴とする請求項４に記載の枕。
【請求項７】
該バンド部は、１つの布シートであり、該支持部は該布シートの一部であることを特徴とする請求項６に記載の枕。
【請求項８】
該枕本体はさらに、
該帯状物の長手方向中央部かつ短手方向一方側に一端部が固着された支持部と、
一端部及び他端部がそれぞれ該帯状物の短手方向一端部及び他端部に固着され、該帯状物との間に該第１及び第２の枕側部のそれぞれの一部が通されるバンド部と、
を有し、該紐の中央部と、該支持部とにそれぞれ係着手段が設けられ、両係着手段が互いに着脱自在であり、該紐の該合わされて固定される位置を把持して該枕本体を吊り下げた場合に該第１及び第２の枕側部が該帯状物から離脱するのを該バンド部で阻止するようにしたことを特徴とする請求項４に記載の枕。
【請求項９】
該枕本体はさらに、
該帯状物を介し該第１及び第２の枕側部の上に横たわって配置され、該帯状物に着脱自在に係着される枕上部を有することを特徴とする請求項８に記載の枕。
【請求項１０】
該枕本体はさらに、該第１及び第２の枕側部の上方に横たわって配置された粒状物シートを有し、
該粒状物シートは、その長手方向の中央部の第１領域と、該長手方向の両側部の、該中央部から離間した第２及び第３領域とに、袋が形成され、各袋に粒状物が収容され、該第１領域と該第２領域との間及び該第１領域と該第３領域との間の厚みはいずれも該第１〜３領域のいずれの厚み平均値より小さく、
該長手方向と直角な１方向に沿って、該第１領域の該長手方向の幅が減少するとともに該第１領域と該第２領域との間隔及び該第１領域と該第３領域との間隔が増加していることを特徴とする請求項４又は、請求項６乃至９のいずれか１つに記載の枕。
【請求項１１】
該帯状物は、該粒状物シートと該粒状物シートの底面の両端部のそれぞれに一端が固着された該リードとを有することを特徴とする請求項１０に記載の枕。
【請求項１２】
長手方向中央部に孔又は隙間が形成され、該枕本体を収容する枕本体収容体をさらに有し、
該間隔制限手段はコードストッパーをさらに有し、該コードストッパーにより、該紐が該合わされて固定され、
該紐の両端部が該枕本体収容体の該孔又は該隙間から外側に引き出されて該コードストッパーに通されることを特徴とする請求項３乃至１１のいずれか１つに記載の枕。
【発明の詳細な説明】
【技術分野】
【０００１】
本発明は、睡眠用枕に係り、特に、一対の枕側部とその相互間距離の増加を制限する間
隔制限手段とを備えた枕に関する。
【背景技術】
【０００２】
本発明者が開発したこの種の枕では、一対の枕側部の相互間距離を調整することにより
、仰臥状態での後頭部高さ位置を調整することができる。
【先行技術文献】
【特許文献】
【０００３】
【特許文献１】登録実用新案第３０９１５４８号公報
【非特許文献】
【０００４】
【非特許文献１】本願発明者が２０１４年１０月２５日に東京都八王子市の「本気の創業塾」で特願２０１４−２１３３３３の実施例１０、１２の試作品を公開したときの動画(https://youtu.be/KPltxFul2Kg)
【非特許文献２】本願発明者が２０１４年１０月３０日にYoutubeで前記試作品を公開した動画(https://www.youtube.com/watch?v=RWunqOf_16g)
【発明の概要】
【発明が解決しようとする課題】
【０００５】
本発明の目的は、一対の枕側部とその相互間距離の増加を制限する間隔制限手段とを備
えた枕において、仰臥状態での後頭部高さ位置をより低くできるようにすることである。
【０００６】
本発明の他の目的は、一対の該枕側部の上に横たわって配置された枕上部をさらに備え
た枕において、該相互間距離を減少させる際に、該枕上部が該一対の枕側部の間に挟まれ
るのを防止できるようにすることである。
【０００７】
本発明のさらなる他の目的は、ユーザーによる前記枕の取り扱いを容易にすることであ
る。
【課題を解決するための手段】
【０００８】
本発明による枕の第１態様では、例えば図３０に示すように、
少なくとも上部がクッション性を有する第１及び第２の枕側部（１１Ｄ、１２Ｄ）と、
該第１の枕側部と該第２の枕側部との間隔を調整自在に制限する間隔制限手段（１１６
、１１８、１２６、１２８、３４、３３）と、
を有する枕本体を備え、該第１及び第２の枕側部はそれぞれ、自由状態で対向側端部底
面の高さが枕の長手方向中央部に向かうほど連続的又はステップ状に高くなっていて、例
えば図３３（Ａ）に示すように、該中央部に後頭部を載置した仰臥状態で該第１及び第２
の枕側部の上面が対向側に傾斜しており、
例えば図１０、図３４に示すように、該間隔の調整により、該後頭部の高さ位置が調整
される。
【０００９】
本発明による枕の第２態様では、第１態様において、該第１及び第２の枕側部はいずれも、互いに略平行な上面及び下面を有するブロックを斜めにカットした形状のクッション性部材を有し、該第１及び第２の枕側部の対向面が、該斜めの略平面である。ここに、「該斜めの略平面」とは、例えば、図４８（Ｂ）、図４８（Ｄ）に示すように、枕側部を、対向面が斜め平面のブロック１１４Ｅに、高さ調整用の薄い直方体シート１１５２Ｅを重ねたもので構成することにより対向面が斜めの略平面となったり、図４５（Ｂ）、図４６（Ａ）に示すように、図４５（Ａ）のカバー１１ｊで１１Ｅ、１１５０、１１５１を覆う前は対向面が斜め平面であってもカバー１１ｊで覆ってそのゴムテープ１１ｊの引張力でこれら１１Ｅ、１１５０、１１５１を締め付けることにより、該対向面が該斜めの略平面になる場合を含む意味である。
【００１０】
本発明による枕の第３態様では、第２態様において、該第１及び第２の枕側部はいずれ
も、例えば図３８、図４８に示すように、積層された複数のクッション性部材を有し、隣
り合う該クッション性部材の間が、該クッション性部材を収容する袋に取着された点ファ
スナー又は面ファスナーを介して結合されている。
【００１１】
本発明による枕の第４態様では、第１乃至３態様のいずれか１つにおいて、該間隔制限
手段は、例えば図１８に示すように、
該第１及び第２の枕側部（１１Ａ、１２Ａ）のそれぞれの、該枕の短手方向の一対の側
面のそれぞれに取り付けられた第１及び第２のガイド（１１６、１１８、１２６、１２８
）と、
該第１及び第２の枕側部のそれぞれの、該枕の長手方向外側の端面に取り付けられた第
３のガイド（１４３、１４５、１４６）と、
紐（３４）とを有し、該紐の中央部から一方側が、該第１の枕側部の、該第１のガイド
、該第３のガイド及び該第２のガイドの順に案内され、該紐の該中央部から他方側が、該
第２の枕側部の、該第１のガイド、該第３のガイド及び該第２のガイドの順に案内され、
該紐の両端部が合わさて固定され（３３）、該合わされて固定される位置により該第１の
枕側部と該第２の枕側部との間隔の制限が調整される。
【００１２】
本発明による枕の第５態様では、第１乃至３態様のいずれか１つにおいて、該間隔制限
手段は、例えば図３５に示すように、
該第１及び第２の枕側部（１１Ｅ、１２Ｅ）のそれぞれの、該枕の短手方向の一対の側
面のそれぞれに取り付けられた第１及び第２のガイド（１１６、１１８、１２６、１２８
）と、
該第１及び第２の枕側部のそれぞれの、該枕の長手方向外側の端面に取り付けられた第
３のガイド（１１ｂ、１２ｂ）と、
該第１及び第２の枕側部の上に横たわって配置され、長手方向の一端部及び他端部が直
接又はリード（１４３Ａ、１４４Ａ）を介してそれぞれ該第１及び第２の枕側部の該第３
のガイドに案内される、フレキシブルな帯状物（３７）と、
該帯状物の該一端部及び該他端部にそれぞれ直接又は該リードを介して取り付けられた
第４及び第５のガイド（１４５、１４６）と、
紐（３４）とを有し、該紐の中央部から一方側が、該第１の枕側部の該第１のガイド、
該第４のガイド及び該第１の枕側部の該第２のガイドの順に案内され、該紐の該中央部か
ら他方側が、該第２の枕側部の該第１のガイド、該第５のガイド及び該第１の枕側部の該
第２のガイドの順に案内され、該紐の両端部が合わさて固定され（３３）、該合わされて
固定される位置により該第１の枕側部と該第２の枕側部との間隔の制限が調整される。
【００１３】
本発明による枕の第６態様では、第４又は５態様において、例えば図３５に示すように
、
該枕本体を収容する枕本体収容体（１６Ｅ）をさらに有し、
該紐（３４）の中央部と、該枕本体収容体の長手方向中央部とにそれぞれ係着手段（３
５、３６）が設けられ、両係着手段が互いに着脱自在である。
【００１４】
本発明による枕の第７態様では、第５態様において、該枕本体はさらに、例えば図５０
、５１又は図５３に示すように、
該帯状物（３７Ｊ）を介し該第１及び第２の枕側部（１１Ｊ、１２Ｊ）の上に横たわっ
て配置され、該帯状物に着脱自在に係着（１５ｄ、１４ｄ）される枕上部（１４Ｊ）と、
該枕上部の長手方向中央部かつ短手方向一方側に一端部が固着された支持部（３９又は
３９３）と、
一端部及び他端部がそれぞれ該枕上部の短手方向一端部及び他端部に固着され、該枕上
部との間に該第１及び第２の枕側部のそれぞれの一部が通されるバンド部（３９、又は３
９１、３９２）とを有し、該紐（３４）の中央部と、該支持部とにそれぞれ係着手段（３
５、３６）が設けられ、両係着手段が互いに着脱自在であり、例えば図５２（Ｃ）又は５
４（Ｂ）に示すように、該紐の該合わされて固定される位置（３３Ｊ）を把持して該枕本
体を吊り下げた場合に該第１及び第２の枕側部が該枕上部から離脱するのが該バンド部で
阻止される。
【００１５】
本発明による枕の第８態様では、第７態様において、例えば図５０に示すように、該バ
ンド部（３９）は、１つの布シートであり、該支持部は該布シートの一部である。
【００１６】
これらバンド部及び支持部は、例えば図５３、５４に示すように、該第１及び第２の枕
側部のそれぞれに対応したバンド（３９１、３９２）と、これらと別体の支持部（３９３
）とで構成してもよい。
【００１７】
本発明による枕の第９態様では、第５態様において、該枕本体はさらに、例えば図５５
に示すように、
該帯状物（３７Ｊ）の長手方向中央部かつ短手方向一方側に一端部が固着された支持部
（３９）と、
一端部及び他端部がそれぞれ該帯状物の短手方向一端部及び他端部に固着され、該帯状
物との間に該第１及び第２の枕側部のそれぞれの一部が通されるバンド部（３９）とを有
し、該紐（３４）の中央部と、該支持部とにそれぞれ係着手段（３５、３６）が設けられ
、両係着手段が互いに着脱自在であり、例えば図５７（Ｄ）に示すように、該紐の該合わ
されて固定される位置（３３Ｊ）を把持して該枕本体を吊り下げた場合に該第１及び第２
の枕側部が該帯状物から離脱するのが該バンド部で阻止される。
【００１８】
本発明による枕の第１０態様では、第９態様において、該枕本体はさらに、例えば図５
５に示すように、
該帯状物（３７Ｊ）を介し該第１及び第２の枕側部（１１Ｊ、１２Ｊ）の上に横たわっ
て配置され、該帯状物に着脱自在に係着（１４ｄ、１５ｄ））される枕上部（１４Ｊ）を
有する。
【００１９】
本発明の第１１態様では、第５又は、第７乃至１０態様のいずれか１つにおいて、該枕
本体はさらに、例えば図５５に示すように、該第１及び第２の枕側部（１１Ｊ、１２Ｊ）
の上方に横たわって配置された粒状物シート（３７Ｊ）を有し、
該粒状物シートは、その長手方向の中央部の第１領域（１５５Ｊ）と、該長手方向の両
側部の、該中央部から離間した第２及び第３領域（１５３Ｊ、１５４Ｊ）とに、袋が形成
され、各袋に粒状物が収容され、該第１領域と該第２領域との間及び該第１領域と該第３
領域との間の厚みはいずれも該第１〜３領域のいずれの厚み平均値より小さく、
、該長手方向と直角な１方向に沿って、該第１領域の該長手方向の幅が減少するととも
に該第１領域と該第２領域との間隔及び該第１領域と該第３領域との間隔が増加している
。
【００２０】
本発明による枕の第１２態様では、第１１態様において、例えば図５５に示すように、
該帯状物（３７Ｊ）は、該粒状物シートと該粒状物シートの底面の両端部のそれぞれに一
端が固着された該リード（１４３Ｊ、１４４Ｊ）とを有する。
【００２１】
本発明による枕の第１３態様では、第４乃至１２態様のいずれか１つにおいて、例えば図５５に示すように、
長手方向中央部に孔又は隙間（１６４Ｊ）が形成され、該枕本体（１０Ｙ）を収容する枕本体収容体（１６Ｊ）をさらに有し、
該間隔制限手段はコードストッパー（３３Ｊ）をさらに有し、該コードストッパーにより、該紐（３４）が該合わされて固定され、
該紐の両端部が該枕本体収容体の該孔又は該隙間から外側に引き出されて該コードストッパーに通される。
【発明の効果】
【００２２】
上記第１態様の構成によれば、第１及び第２の枕側部の少なくとも上部がクッション性
を有するので、例えば図３３（Ａ）、図４３に示すように、該第１及び第２の枕側部の上
に横たわった枕上部が存在しなくてもよく、また、該枕上部が存在する場合にはその厚み
を該クッション性がない場合よりも小さくすることができ、これらにより、仰臥状態での
後頭部高さ位置をより低くできるという効果を奏する。
【００２３】
上記第２態様の構成によれば、上記効果が確実に得られるとともに、仰臥状態と横臥状態での頭部高さ位置の差が比較的大きくても寝返りが容易にできるという効果を奏する。
【００２４】
上記第３態様の構成によれば、ユーザによる該第１及び第２の枕側部の高さ調整を容易
に行うことができるという効果を奏する。
【００２５】
上記第４態様の構成によれば、紐の両端部を合わせて固定する位置を調整するだけで、
上記後頭部高さ位置を調整することができるという効果を奏する。
【００２６】
上記第５態様の構成によれば、紐が合わされて固定された位置を紐中央側へシフトさせ
て第１及び第２の枕側部の相互間距離を減少させる際に、帯状物が緊張するので、枕上部
が比較的薄くて撓みやすい場合であっても、枕上部が第１及び第２の枕側部の間に挟まれ
るのを防止できるという効果を奏する。
【００２７】
上記第６態様の構成によれば、紐の上記固定位置を調整した場合に第１及び第２の枕側
部の相互間中点がずれるのを防止できるという効果を奏する。また、該紐の中央部の係着
手段が該枕本体収容体の係着手段に対し着脱自在であるので、該枕本体収容体に対し、該
第１及び第２の枕側部と間隔制限手段との組を容易に挿脱でき、該枕本体収容体の洗濯前
後の取り扱いが容易であるという効果を奏する。
【００２８】
上記第７態様の構成によれば、該紐の両端部を把持して枕本体をぶら下げても、さらに
この枕本体を放り投げても、分解されず、しかも、放り投げた後に、枕本体を単にその長
手方向に延ばすだけで枕本体の長手方向及び短手方向の位置ずれが殆ど無く、これにより
、枕本体の取り扱いが容易であるという効果を奏する。
【００２９】
上記第８態様の構成によれば、バンド部と支持部とを１つの布シートで構成できるので
、製造コストを低減できるという効果を奏する。
【００３０】
上記第９態様の構成によれば、第１及び第２の枕側部と帯状物と紐との組について、該
紐の両端部を把持して該組をぶら下げても、さらにこの組を放り投げても、分解されず、
しかも、放り投げた後に、該組を単にその長手方向に延ばすだけで該組の長手方向及び短
手方向の位置ずれが殆ど無く、これにより、該組の取り扱いが容易であるという効果を奏
する。
【００３１】
上記第１１態様の構成によれば、仰臥時において人の側頭部と枕との当接面積が低減し
て寝心地が向上するという効果を奏する。
【００３２】
上記第１２態様の構成によれば、帯状物が粒状物シートを構成しているので、枕の部品
点数が低減して構成が簡単になるという効果を奏する。
【００３３】
上記第１３態様の構成によれば、枕本体収容体の外側に在るコードストッパーからの紐
引出長さを調整するだけで、第１及び第２の枕側部の相互間距離を調整できるので、調整
操作が容易であるという効果を奏する。
【００３４】
本発明の他の目的、特徴的な構成及び効果は、以下の説明を特許請求の範囲及び図面の
記載と関係づけて読むことにより明らかになる。 
【図面の簡単な説明】
【００３５】
【図１】（Ａ）は本発明の実施例１の枕の斜視図であり、（Ｂ）は（Ａ）の枕を、その上面の中心の法線の回りに１８０°回転したときの斜視図である。
【図２】図１中の枕本体の分解斜視図である。
【図３】図１中の枕側部の分解斜視図である。
【図４】（Ａ）は図１（Ａ）の状態から枕側部間距離を短くした場合の枕の斜視図であり、（Ｂ）は（Ａ）の枕を、その上面の中心の法線の回りに１８０°回転したときの斜視図である。
【図５】（Ａ）は人体頭部との関係で示す枕の概略正面図、（Ｂ）は仰臥状態での枕の概略正面図、（Ｃ）は（Ｂ）中の枕側部に働く力の概略を示す説明図である。
【図６】（Ａ）〜（Ｃ）は仰臥状態から横臥状態への変化を説明する概略正面図である。
【図７】（Ａ）及び（Ｂ）は寝返り容易性を説明する概略正面図である。
【図８】（Ａ）及び（Ｂ）は仰臥状態での枕高さを変えずに一対の枕側部の間隔を広げた場合を示す概略正面図である。
【図９】（Ａ）は、図５（Ｂ）を一点鎖線で表し、図６（Ｂ）を二点鎖線で表し、図６（Ｃ）を実線で表して、これらを重ね書きしたものを示す概略正面図であり、（Ｂ）はこれに静止状態の仮想枕を太線で表した概略正面図である。
【図１０】（Ａ）〜（Ｄ）は仰臥状態での枕高さを変えた状態を示す概略正面図である。
【図１１】（Ａ）及び（Ｂ）はそれぞれ、図１０（Ｂ）及び（Ｃ）に対応した仮想枕を点線及び２点鎖線の太線で示す概略正面図、（Ｃ）は図９（Ｂ）並びに本図（Ａ）及び（Ｂ）中の仮想枕を重ねて示す概略正面図である。
【図１２】（Ａ）は本発明の実施例２の枕の斜視図であり、（Ｂ）は（Ａ）の枕を、図示Ｚ軸の回りに１８０°回転したときの斜視図である。
【図１３】図１２（Ａ）の状態から枕側部間距離を短くした場合の枕の斜視図である。
【図１４】（Ａ）は一対の枕中央部高さ調整用紐の引き出し長さを互いに異ならせた場合の枕の斜視図であり、（Ｂ）は（Ａ）の枕を、その上面の中心の法線の回りに１８０°回転したときの斜視図である。
【図１５】（Ａ）は本発明の実施例３の枕の斜視図であり、（Ｂ）は（Ａ）の枕を図示Ｚ軸の回りに１８０°回転したときの斜視図である。
【図１６】（Ａ）は図１５（Ａ）の状態から枕側部間距離を短くした場合の枕の斜視図であり、（Ｂ）は、（Ａ）の枕を、その上面の中心の法線の回りに１８０°回転したときの斜視図である。
【図１７】（Ａ）は本発明の実施例４の枕の斜視図であり、（Ｂ）は（Ａ）の枕を、その上面の中心の法線の回りに１８０°回転したときの斜視図である。
【図１８】（Ａ）は本発明の実施例５の枕の斜視図であり、（Ｂ）は（Ａ）の枕を、その上面の中心の法線の回りに１８０°回転したときの斜視図である。
【図１９】図１８（Ａ）中の枕本体の分解斜視図である。
【図２０】（Ａ）は図１８（Ａ）の状態から枕側部間距離を短くした場合の枕の斜視図であり、（Ｂ）は、（Ａ）の枕を、その上面の中心の法線の回りに１８０°回転したときの斜視図である。
【図２１】本発明の実施例６の枕を人体との関係で示す概略正面図である。
【図２２】図２１中の枕側部の分解斜視図である。
【図２３】（Ａ）〜（Ｄ）はそれぞれ図１０（Ａ）〜（Ｄ）に対応した概略正面図である。
【図２４】（Ｂ）本発明の実施例７の枕本体を示す概略正面図、（Ｂ）は（Ａ）の枕の仰臥状態を図５（Ｂ）中の枕本体（２点鎖線）と重ねて示す概略正面図である。
【図２５】（Ａ）〜（Ｃ）は図２４の枕を横転中の人体とともに示す概略正面図である。
【図２６】（Ａ）〜（Ｃ）は、図１０と同様にして枕中央部高さを変えた場合を示す概略正面図である。
【図２７】図２４（Ａ）中の枕側部の分解斜視図である。
【図２８】（Ａ）は本発明の実施例８の枕の斜視図であり、（Ｂ）は（Ａ）の枕を、その上面の中心の法線の回りに１８０°回転したときの斜視図である。
【図２９】（Ａ）及び（Ｂ）は図２８中の枕上部を構成する軟質発泡プラスチックシートの概略縦断面図、（Ｃ）は図２８の枕の仰臥状態概略正面図、（Ｄ）は（Ａ）の変形例を示す概略縦断面図である。
【図３０】本発明の実施例９の枕の分解斜視図である。
【図３１】図３０中の一対の枕側部と間隔制限手段とを示す斜視図である。
【図３２】（Ａ）及び（Ｂ）はいずれも図３０の枕を組み立てた状態の斜視図であり、（Ｂ）は（Ａ）と異なる方位から見た斜視図である。
【図３３】（Ａ）〜（Ｅ）は枕上部を使用しない場合での仰臥状態から横臥状態への変化を説明する概略正面図である。
【図３４】仰臥状態において一対の枕側部の対向側一部を互いに重ね合わせた場合を説明する概略正面図である。
【図３５】本発明の実施例１０の枕の分解斜視図である。
【図３６】（Ａ）は図３５中の枕カバー１６Ｅを開いた状態の概略平面図、（Ｂ）は開いた状態の枕カバー１６Ｅ上に枕本体を組み付けた状態の概略平面図、（Ｃ）は（Ｂ）の枕カバー１６Ｅを閉じた状態の背面図である。
【図３７】（Ａ）は図３５中の帯状物３７の分解平面図、（Ｂ）は帯状部の変形例を示す平面図である。
【図３８】（Ａ）は図３５中の一方の枕側部の分解斜視図であり、（Ｂ）は該枕側部を組み立てた状態の斜視図である。
【００３６】
【図３９】（Ａ）及び（Ｂ）は実施例１０の試作品の写真であって、（Ａ）は図３６（Ａ）に対応したものであり、（Ｂ）は図３６（Ａ）から粒状物シート１５Ｅを除いた構成に対応したものである。
【図４０】（Ａ）〜（Ｃ）は該試作品の写真であって、（Ａ）は図３６（Ｂ）に対応したものであり、（Ｂ）は（Ａ）の状態からカバー片１６ａをカバー片１６９側に折り畳んだ状態を示す写真であり、（Ｃ）は図３６（Ｃ）に対応したものである。
【図４１】（Ａ）及び（Ｂ）は該試作品の写真であって、（Ａ）は首側斜め上方から撮影した写真であり、（Ｂ）は枕にマネキン頭部を載せて押し付けた後、手放してから撮影した写真である。
【図４２】（Ａ）〜（Ｄ）は該試作品の枕にマネキン頭部を載せて押し付けた状態で後頭部側斜め上方から撮影した写真であって、（Ａ）は仰臥状態、（Ｂ）は横臥状態、（Ｃ）はコードストッパーからの紐引き出し長さを増加させた場合の仰臥状態、（Ｄ）は該長さをさらに増加させた場合の仰臥状態を示す写真である。
【図４３】図３９（Ｂ）の状態の枕本体中央部上にマネキン頭部を載せて押し付けた状態で後頭部側から撮影した写真であって、図３３（Ａ）に対応したものである。
【図４４】本発明の実施例１１の枕の分解斜視図である。
【図４５】本発明の実施例１２の枕側部で用いられるカバーの斜視図であり、（Ｂ）はこれを用いた枕側部の斜視図である。
【図４６】（Ａ）は該実施例１２の一対の枕側部の試作品の写真であり、（Ｂ）は、該枕側部の対向側傾斜面を水平にした状態でマネキン頭部を該枕側部から少し横に離間させて撮影した写真であり、（Ｃ）は、（Ｂ）の写真上に、図４５（Ｂ）の点Ｓ０〜Ｓ２などを記載したものである。
【図４７】図４５（Ａ）のカバーの変形例を示す斜視図である。
【図４８】本発明の実施例１３で用いられる枕側部の下部の分解斜視図であり、図４８（Ｂ）は上部も含む、枕側部を組み付けた状態の斜視図である。
【図４９】（Ａ）は本発明の実施例１４で用いられる枕上部の概略分解斜視図であり、（Ｂ）は該枕上部の概略分解断面図であり、（Ｃ）は該枕上部を組み付けた概略断面図である。
【図５０】本発明の実施例１５の枕の分解斜視図である。
【図５１】（Ａ）は、一対の枕側部の上に帯状物が横たわって配置された状態を示す斜視図、（Ｂ）は、この状態に紐及びコードストッパーを組み付けた状態を示す斜視図、（Ｃ）は、この状態にクッション性シートを組み付けた枕本体を示す斜視図である。
【図５２】（Ａ）は図５１（Ｂ）に対応した試作品の写真であり、（Ｂ）は図５１（Ｃ）に対応した枕本体試作品を底面側から見た写真であり、（Ｃ）は（Ｂ）の枕本体試作品を、紐の先端部を把持してぶら下げた状態の写真であり、（Ｄ）はこの枕本体を枕ケース内に納めた枕試作品の写真であり、（Ｅ）はこの枕試作品を他の側から見た写真であり、（Ｆ）はこの枕試作品に頭部マネキンを乗せた状態の写真である。
【図５３】本発明の実施例１６の枕で用いられる、クッション性シートに逢着されたホルダーの構成を示す斜視図である。
【図５４】（Ａ）は前記ホルダーを用いた枕本体の試作品の、底面側から見た写真であり、（Ｂ）は、この試作品の、図５２（Ｃ）に対応した写真である。
【図５５】本発明の実施例１７の枕の分解斜視図である。
【図５６】この枕の、クッション性シートを除いた状態の枕本体を示す斜視図である。
【図５７】（Ａ）は図５６に対応した試作品の写真であり、（Ｂ）は（Ａ）のものにクッション性シートを係着させた枕本体の試作品の写真であり、（Ｃ）は（Ｂ）の試作品を底面側から見た写真であり、（Ｄ）は、（Ｂ）の試作品の、図５４（Ｂ）に対応した写真である。
【実施例１】
【００３７】
（本発明の特許請求の範囲に直接関係した実施例は、実施例９以降である。）
図１（Ａ）は、本発明の実施例１の枕１０の斜視図であり、図１（Ｂ）は、図１（Ａ）
の枕１０を、その上面の中心の法線（図示Ｚ軸）の回りに１８０°回転したときの斜視図
である。図２は、図１の枕１０の本体の分解斜視図である。図３は、図１中の枕側部１１
の分解斜視図である。
【００３８】
枕１０は、該法線を含み枕長手方向に垂直な面（ＹＺ面）に関し、対称形である。枕１
０の本体は、枕側部１１及び１２が枕１０の長手方向（Ｘ方向）両側部に対向して配置さ
れ、枕側部１１及び１２の上に枕上部１３が横たわって配置されている。該枕本体は、２
点鎖線で示す布製の枕ケース１６内に収容されている。枕ケース１６は、その周部に逢着
された不図示の線ファスナーなどで開閉される。
【００３９】
枕上部１３は、軟質発泡プラスチックシート１４の上に粒状物シート１５が重ねられて
いる。
【００４０】
軟質発泡プラスチックシート１４は、クッション用であり、その本体が布袋に収容され
ている。この本体は、例えば幅５４０ｍｍ、奥域２００ｍｍ、厚さ３０ｍｍ、連続気泡体
の高反発又は低反発の通常のクッション用軟質ポリウレタンフォームである。
【００４１】
軟質発泡プラスチックシート１４の下面の長手方向両側には、枕側部１１と枕側部１２
との間隔を調整する間隔調整手段としてのゴム紐１４０及び１４１の両端が、軟質発泡プ
ラスチックシート１４の奥域方向端部に逢着され、ゴム紐１４０及び１４１にそれぞれ枕
側部１１及び１２が挿着される。軟質発泡プラスチックシート１４の上記布袋の長手方向
一端面の奥域方向（Ｙ方向）一端部には、布紐リングである支持片１４２の一端が逢着さ
れている。該奥域方向他端部及び軟質発泡プラスチックシート１４の該布袋の長手方向他
端面についても前記と同様である。
【００４２】
粒状物シート１５は、軟質発泡プラスチックシート１４と頭部の間の隙間を埋めて頭部
の受ける応力をより均一化するためのものであり、布袋内が仕切り１５０〜１５２で仕切
られてセグメント１５３〜１５６が形成され、セグメント１５３〜１５５のそれぞれに粒
状物が封入されている。粒状物は、例えば発泡倍率５０倍、独立気泡体で直径約１ｍｍの
発泡スチロールビーズである。セグメント１５３〜１５５のそれぞれの粒状物封入量は例
えば、高さを均一にした場合に高さが１０ｍｍ程度になる量である。この量が比較的少な
いことから、セグメント１５３〜１５５の仕切りは縫い糸のみで形成してもよい。セグメ
ント１５６は、頸椎への圧迫を避けるための領域であって、これには何も封入されず、切
除した領域であってもよい。
【００４３】
セグメント１５３及び１５５の幅はそれぞれ、例えば１７５ｍｍ及び１９０ｍｍである
。セグメント１５３、１５５及び１５６の奥域はそれぞれ、例えば２００ｍｍ、１７０ｍ
ｍ及び３０ｍｍである。
【００４４】
粒状物シート１５の長手方向一端の奥域方向一端部には、布紐リングの支持片１５７の
一端が逢着され、支持片１５７と支持片１４２とが、開閉及び閉止可能なカードリングで
構成したガイド（以下、原則として同様）１５８で鎖状に連結されている。該奥域方向他
端部及び粒状物シート１５の長手方向他端についても前記と同様である。
【００４５】
枕側部１１は、図３に示すように、カバー１１０の周面に線ファスナー１１１が逢着さ
れ、カバー１１０内の前方側に、仕切り布１１２０及び１１２１の両側端部が逢着されて
、３つの収容棚が形成され、仕切り布１１２０の下側にブロック１１４の先端部が収容さ
れ、ユーザの横臥姿勢での頭部側面高さに応じて選択的に、シート１１５０又は／及びシ
ート１１５１の先端部がそれぞれ仕切り布１１２０と１１２１との間及び仕切り布１１２
１の上側に収容される。カバー１１０は、布製又は厚み３ｍｍ程度の軟質ウレタンフォー
ムを芯材としその両面に布を被着したクッション性のものである。
【００４６】
ブロック１１４、シート１１５０及び１１５１は例えば、独立気泡体の発泡スチロール
又は発泡ポリエチレンで形成される。シート１１５０及び１１５１のサイズは例えば、２
００ｍｍＸ２００ｍｍＸ１０ｍｍである。ブロック１１４は例えば、２００ｍｍＸ２００
ｍｍＸ４５ｍｍの矩形ブロックの一端側下部を、ニクロム線カッターを備えたＮＣ加工機
で溶融切除したものであり、その切除面の高さは、すなわちブロック１１４の自由状態で
の一端側底面の高さｈ（図５（Ａ）参照）は、この一端側に向かうほど連続的に大きくな
っている。この切除面は  例えば、底面１１４ａに対し４５°傾斜した傾斜面１１４ｂと
、底面１１４ａと傾斜面１１４ｂの間に位置し縦断面が中心角４５°、半径２５ｍｍの扇
形の曲面１１４ｃとからなり、曲面１１４ｃがその両側の底面１１４ａと傾斜面１１４ｂ
とに滑らかに連なっている。前面１１４ｅは切除されずに残された面であり、その高さは
例えば１０ｍｍである。
【００４７】
図１（Ａ）及び（Ｂ）は、図３のシート１１５０及び１１５１を用いずに仕切り布１１
２０の上側空間をゴム紐１４０による締め付けで縮めた場合を示している。
【００４８】
図４（Ａ）の枕１０は、図１（Ａ）の状態から枕側部１１と１２とを対向側に所定等距
離だけ移動させて、それぞれゴム紐１４０及び１４１で枕上部１３に取着した状態を示し
ている。図４（Ｂ）は、図４（Ａ）の枕１０を、その上面の中心の法線の回りに１８０°
回転したときの斜視図である。
【００４９】
次に、以上のように構成された枕１０の作用を説明する。
【００５０】
図５（Ａ）は、マットレス又は布団などの寝床Ｓ上に載置された枕１０（枕ケース１６
は図示省略、以下同様）の概略正面図を、人体頭部との関係で示す。
【００５１】
頭部Ｈを枕上部１３の長手方向中央部に載置させると、図５（Ｂ）に示すような仰臥状
態となる。この際、枕上部１３の中央部が下方へ押し下げられると共に、枕上部１３を介
し枕側部１１及び１２に、頭部Ｈ側への回転モーメントが加わって、枕側部１１及び１２
の上面が対向側に回転して傾斜する。
【００５２】
この対向傾斜と、枕上部１３の存在により、後頭部を支える滑らかなカーブの凹部が形
成されるので、後頭部に加わる応力が分散されて、睡眠中の頭部血行が改善される。特に
、枕上部１３が、軟質発泡プラスチックシート１４の上に粒状物シート１５を重ねて構成
されていることから、前記対向傾斜する際に、セグメント１５５内の粒状物が、軟質発泡
プラスチックシート１４の凹部底面側に移動してその堆積状態がリセットされ、次いで粒
状物が後頭部で押圧されて、後頭部と軟質発泡プラスチックシート１４の凹部の間の隙間
に粒状物が移動し、後頭部に加わる応力が均一化へと変化することになる。セグメント１
５３及び１５４内の粒状物については、前記傾斜により、堆積状態が傾斜面下方側にリセ
ットされる。上記仕切り１５０及び１５１は、このリセットでセグメント１５５側へ多量
の粒状物が移動して偏在するのを避けるためのものである。
【００５３】
粒状物が多すぎると、該凹部で粒状物が逃げ場を失い、後頭部の側部が押圧されて逆効
果になる。この逆効果が生じない粒状物の最大量は、粒状物の逃げ場に影響する。この逃
げ場は、セグメント１５５の幅及び奥域のサイズ、凹部形状などに影響される。この凹部
形状は上記対向傾斜の角度、軟質発泡プラスチックシート１４の弾性係数及び厚みに依存
する。粒状物の移動し易さは、粒状物の粒径や摩擦係数、上記傾斜角、粒状物が入れられ
る布袋の緊張の程度などに依存する。
【００５４】
上記具体例の場合、上記粒状物移動による隙間埋め効果が得られ、上記逆効果は無かっ
た。
【００５５】
図５（Ｂ）では、頭部Ｈの枕上部１３に対する押圧力を、中央部に対する押圧力Ｆ０と
、一対の側部に対する押圧力Ｆ１及びＦ２とに分けて示す。図５（Ｃ）は、図５（Ｂ）中
の一方の枕側部に働く力の概略を示す。
【００５６】
図５（Ｃ）中の記号の定義は、次の通りである。
【００５７】
Ｒ：寝床Ｓから枕側部１２への垂直抗力
Ｇ：枕側部１２の重心に働く重力
Ｆ２：頭部Ｈから枕上部１３への押圧力
Ｔ：枕上部１３に想定した切断面に働いている内部張力
Ｆｒ：静止摩擦力
枕側部の釣り合いは、これら抗力Ｒ、重力Ｇ、押圧力Ｆ２、張力Ｔ及び静止摩擦力Ｆｒ
の合力及び回転モーメントが共にゼロになることで成立する。すなわち、押圧力Ｆ２と張
力Ｔの垂直成分と、重力Ｇの大きさとの和が、抗力Ｒの大きさに等しく、張力Ｔの水平成
分と静止摩擦力Ｆｒとの和が、押圧力Ｆ２の水平成分に等しくなる。重力Ｇ及び張力Ｔは
比較的小さく、また、静止摩擦力Ｆｒ及び抗力Ｒの当接境界線ＢＬ２の回りの回転モーメ
ントが０であるので、当接境界線ＢＬ２の回りの回転モーメントが０になる釣り合い条件
から、押圧力Ｆ２は図５（Ｃ）において当接境界線ＢＬの近くを通ると考えられる。この
点は、以下の横転時においても同様である。
【００５８】
図５（Ｂ）の仰臥状態から時計回りに横転すると、図６（Ａ）、（Ｂ）の状態を経て（
Ｃ）の横臥状態となる。この際、枕上部１３の中央部が上昇して、セグメント１５５内の
粒状物堆積状態が均一化側にリセットされる。また、セグメント１５４内の粒状物が頭部
Ｈで枕外側に押圧されながら、頭部Ｈの側面と軟質発泡プラスチックシート１４との間の
隙間のある方向に移動し、主に顎側の隙間を埋め、余分な粒状物は、頭部Ｈ側面で押圧さ
れない周辺部へ移動する。これにより、頭部Ｈの側面についても、応力分布がより均一化
される。また、顎側が低くなって頸椎が床面Ｓに対し傾斜するのが防止される。
【００５９】
図６（Ｂ）では、頭部Ｈの重心が、枕側部１２の下面の寝床Ｓとの当接境界線ＢＬ２よ
り右側に存在するので、枕側部１２が水平になった状態で安定して頭部Ｈを枕上部１３上
で回転させることができる。また、この状態から図６（Ｃ）の横臥状態までの横転動作に
おいては、首部への無理な負荷が殆ど無視できると考えられる。
【００６０】
したがって、図５（Ｂ）の状態から図６（Ｂ）までの状態における動作がスムーズに行
われるか否かが問題となる。これを、図７（Ａ）及び（Ｂ）を参照して考察する。
【００６１】
図７（Ａ）は、図６（Ａ）中の押圧力Ｆ２とその反力−Ｆ２を、異なる観点から表示し
たものである。図６（Ａ）中の押圧力Ｆ２は、頭部Ｈと枕上部１３との枕側部１２側の接
触面に働く連続した応力分布の合力であり、図７（Ａ）ではこの接触面を、当接境界線Ｂ
Ｌ２を通りほぼ押圧力Ｆ２を通る面ＰＬで２分割し、分割された接触面のそれぞれに働く
合力Ｆ２／２に分けている。この反作用の合力についても同様に２つの合力−Ｆ２／２に
分けている。
【００６２】
図７（Ｂ）は説明上、これら作用と反作用のそれぞれの一方を示している。この図７（
Ｂ）は、頭部Ｈが面ＰＬの右側の枕上部１３を力Ｆ２／２で押圧することで、頭部Ｈが面
ＰＬの左側の枕上部１３から力−Ｆ２／２で押し上げられていることを示しており、あた
かも自分の頭部Ｈでてこを操作しながら自分の頭部Ｈを押し上げている。
【００６３】
実際には、図７（Ａ）に示すように、頭部Ｈは枕側部に対し、一方の押圧力Ｆ２／２に
よる右回りの回転モーメントを与えるとともに他方の押圧力Ｆ２／２による左回りの回転
モーメントを与えているので、頭部Ｈをゆっくり右回転させると、枕側部も同じ速度で追
従してゆっくり右回転し、途中で頭部Ｈの回転を停止すると枕側部も停止し、逆回転させ
ても同様に追従する。したがって、例えば図５（Ｂ）の状態で枕側部１２の傾斜角が４５
°であるとき、横転して頭部Ｈを４５°回転させると、枕側部１２も同様に追従回転し、
枕側部１２の底面平行部が寝床Ｓに当接して、図６（Ｂ）の状態になる。この４５°は、
図３について説明した曲面１１４ｃの中心角４５°に等しく、この中心角を３０°にすれ
ば該傾斜角も３０°になる。
【００６４】
従来の回転しない枕でも、瞬間毎に図７（Ｂ）のように２分割して説明できるものの、
枕側の回転動作が無いので、枕による頭部Ｈの持ち上げ回転動作が無い。これに対し、本
実施例１の枕１０は、この持ち上げ回転動作（枕１０の頭部Ｈに対する仕事）があるので
、寝返りが容易になるという効果を奏する。
【００６５】
但し、図６（Ｃ）に示す頭部Ｈの重心ＧＨが当接境界線ＢＬ２の左側に存在すれば、寝
返りしても戻されるので、頭部Ｈの重心ＧＨが当接境界線ＢＬ２の右側（図中の距離Ｄが
正）に存在するという条件を満たす必要がある。この条件は、頭部Ｈのサイズ、枕側部１
１、１２の相互間隔、枕側部１１、１２の高さ、枕上部１３の厚みなどに依存する。
【００６６】
図８（Ａ）及び（Ｂ）に示すように、該条件の下で、仰臥状態での枕高さを変えずに、
ユーザの好みにより、枕側部１１と１２との間隔を広げて、枕側部１１及び１２の寝床Ｓ
に対する傾斜角θを小さくすることもできる。傾斜角θは、枕側部１１と１２との間隔の
みならず、枕側部１１及び１２の対向面の下部形状、枕側部１１、１２の高さ、頭部Ｈの
形状などに依存する。
【００６７】
図９（Ａ）は、横転時の動作を全体的視覚的に把握しやすいように描いたものであって
、図５（Ｂ）を一点鎖線で表し、図６（Ｂ）を二点鎖線で表し、図６（Ｃ）を実線で表し
て、これらを重ね書きしたものである。図９（Ｂ）は、図９（Ａ）に、横転時の頭部Ｈの
枕上部１３に対する接触面局部を接平面とする曲面の縦断面を太線で示した仮想枕２０で
あり、上記寝返りのし易さを除けば、クッション圧縮後の枕形状は、この仮想枕２０に相
当している。
【００６８】
図６（Ｃ）の横臥状態から逆回りに横転して図５（Ｂ）の仰臥状態へ移るとき、枕上部
１３の中央部が押下されて、枕側部１１が時計回りの回転モーメントを受け、枕側部枕上
部１３が反時計回りの回転モーメントを受け、枕側部１１及び１２の上面が対向側に傾斜
し、枕上部１３に凹部が形成され、頭部Ｈがこの凹部で支持されて、仰臥状態となる。こ
の傾斜及び凹部への頭部Ｈの移動の際にも、上述のように、セグメント１５３及び１５４
内の粒状物堆積状態が枕長手方向内側にリセットされ、セグメント１５５内の粒状物堆積
状態が枕長手方向中央側にリセットされた後に、頭部Ｈの後頭部と軟質発泡プラスチック
シート１４との間の隙間に移動する。
【００６９】
次に、枕側部１１と１２のそれぞれゴム紐１４０及び１４１に対する位置による枕側部
１１と１２との間隔に応じた仰臥時枕高さについて説明する。
【００７０】
上述したように、頭部Ｈの回転に対し枕側部が追従回転し、頭部Ｈの回転を停止すれば
枕側部の回転も停止するという性質があることと、仰臥状態は頭停止状態で枕の長手方向
両側部が互いに対称であることから、図１０（Ａ）〜（Ｄ）に示すように、枕側部１１と
１２との間隔を変えて、仰臥状態を保てば（回転停止状態にすれば）、間隔に応じた横臥
時枕高さを安定に保つことができる。
【００７１】
頭部Ｈの枕側部１１、１２に対する押圧力Ｆ１、Ｆ２はそれぞれ、上述及び図１０（Ａ
）〜（Ｄ）に示すように、ほぼ当接境界線ＢＬ１、ＢＬ２を通るので、この性質を用いて
、横臥時枕高さの概略を図形で推定することができる。
【００７２】
図１０（Ｃ）又は（Ｄ）のように枕側部１１と１２との突出部対向面を当接させると、
枕側部１１と１２には、相手の当接部からそれぞれ押圧力Ｆ３、Ｆ４も受け、また、これ
による当接境界線ＢＬ１、ＢＬ２の回りの回転モーメントを打ち消すように、押圧力Ｆ１
、Ｆ２はそれぞれ、当接境界線ＢＬ１、ＢＬ２の少し枕内側を通る。図１０（Ｄ）の場合
、仰臥時高さが横臥時高さと同じになる。
【００７３】
以上のことから、本実施例１の枕１０によれば、枕自由状態での枕側部１１と１２との
間の距離を調整するだけで、枕中央部高さを、枕上部１３の圧縮時高さから横臥時高さま
で連続的に調整することができるという効果を奏する。
【００７４】
図１１（Ａ）及び（Ｂ）はそれぞれ、図１０（Ｂ）及び（Ｃ）のように枕中央部高さを
調整して、仰臥姿勢から横臥姿勢まで横転した場合に、図９（Ｂ）と同様にして得られる
仮想枕２１、２１を点線及び２点鎖線の太線で示す。
【００７５】
図１１（Ｃ）は、図９（Ｂ）、図１１（Ａ）及び（Ｂ）中の太線の仮想枕２０〜２２を
重ね書きしたものであり、枕の中央部と側部の高さの段差が大きくなるほど、枕中央部か
ら枕側部への遷移領域の幅が広くなって、寝返りし易くなっていることが分かる。
【００７６】
本実施例１の枕１０によれば、枕側部１１と１２との相互距離を調整するだけで、枕側
部の高さを変えること無く、枕中央部高さを変えるとともに遷移領域の仮想形状を適当に
自動生成できるという効果を奏する。
【００７７】
好ましい枕側部高さ（横臥状態での枕高さ）は、ストレートネックや猫背の程度に依存しないが、枕中央部高さはこれらに依存する。仰臥姿勢では、首の筋肉や靱帯にできるだけ負荷がかからない方がこのましい。この状態は、概略的に言えば、枕中央部高さを、自然立直状態での後頭部と背部との段差に等しくする（概略調整する）ことで達成される。正確には、仰臥姿勢と自然立直姿勢とで、寝床有無による条件が異なるので、枕中央部高さをさらに微調整する必要がある。
【００７８】
本実施例１の枕１０によれば、ストレートネックや猫背の矯正の程度に応じて、１つの
枕１０で、しかも枕側部１１と１２との相互間距離を調整するだけで、枕形状を適切なも
のにすることが可能となる。
【００７９】
また、仰臥姿勢の方が横臥姿勢よりも寝床との接触面積が広くて体内応力が小さくなっ
て楽であるので、仰臥姿勢で首部に無理な力が加わらないように枕中央部高さを調整すれ
ば、睡眠時間における仰臥姿勢の時間の割合が自然と多くなって、平均体内応力が大きく
なることによる血行の悪化が防止される。さらに、本実施例１の枕１０によれば、寝返り
し易いので、睡眠時に体を同一状態に長時間保持することによる血行の悪化が防止される
。しかも、仰臥状態で頭部Ｈが凹部に支持されて後頭部に加わる応力が小さくなるので、
睡眠中の頭部血行がよくなるという効果を奏する。
【実施例２】
【００８０】
図１２（Ａ）は、本発明の実施例２の枕１０Ａの斜視図であり、図１２（Ｂ）は、図１
２（Ａ）の枕１０Ａを、図示Ｚ軸の回りに１８０°回転したときの斜視図である。
【００８１】
この枕１０Ａでは、図１中の軟質発泡プラスチックシート１４から上記間隔調整手段と
してのゴム紐１４０、１４１を除いたものを軟質発泡プラスチックシート１４Ａとして用
い、これらゴム紐１４０、１４１の替わりに、他の間隔調整手段を用いている。この間隔
調整手段では、枕ケース１６Ａの長手方向中央部の長さを可変に縮めることにより、枕ケ
ース１６Ａ内に収容された枕側部１１、１２間の相互距離（間隔）を制限し、この制限を
可変（調整可能）にしている。
【００８２】
具体的には、図１２（Ａ）に示すように、枕ケース１６Ａの奥域方向（Ｙ方向）に対向
する一方の面の中央部に鳩目１６０と鳩目１６１とをそれぞれ、互いに枕ケース１６Ａの
長手方向（Ｘ方向）に離間して形成し、１本の紐３０の一端部及び他端部を枕ケース１６
の内側で鳩目１６０及び１６１に通して枕ケース１６の外部に引き出し、コードストッパ
ー３１のノブを押下してそのロックを解除し、該ノブの孔に通し、ノブ押下を止めてロッ
クすることにより、枕ケース１６Ａのこの面の長手方向中央部の長さを可変に縮めるよう
に構成している。
【００８３】
この面と対向する枕ケース１６の面についても同様に、図１２（Ｂ）に示すように、１
本の紐３２の一端部及び他端部を枕ケース１６の内側で鳩目１６２及び１６３に通して枕
ケース１６の外部に引き出し、コードストッパー３３のノブを押下してそのロックを解除
し、該ノブの孔に通し、ノブ押下を止めてロックすることにより、枕ケース１６Ａのこの
面の長手方向中央部の長さを可変に縮めるように構成している。
【００８４】
鳩目１６２、１６３はそれぞれ枕ケース１６Ａ上の鳩目１６０、１６１と対向する位置
に形成され、また、紐３２は紐３０と同じ長さである。
【００８５】
図１２では、枕ケース１６Ａからの紐３０及び３２の引き出し長さが同じに調整される
とともに、枕ケース１６Ａの長手方向中央部の長さが縮められていない状態を示している
。
【００８６】
仰臥状態では、枕側部１１と１２の後端面が枕ケース１６Ａの長手方向側端面に当接し
て、枕側部１１と１２の離間方向への移動が制限され、図５（Ｂ）に示す状態になる。
【００８７】
図１２の状態から、コードストッパー３１のノブを押下してロックを解除し、紐３０の
先端部を引き出し、同様に、コードストッパー３３のノブを押下してロックを解除し、紐
３２の先端部を引き出すと、図１３に示すように、引き出し長さに応じて、枕ケース１６
Ａの長手方向中央部の長さが縮められる。この場合、仰臥状態では、例えば図１０（Ｂ）
と同様になる。紐３０又は紐３２の先端部引き出し長さを前回よりも短くした場合には、
枕上部１３Ａの中央部に後頭部を載置する際に、枕側部１１と１２とが互いに離間方向へ
移動して、紐３０又は紐３２のうちコードストッパー３１又はコードストッパー３３と枕
ケース１６Ａとの間の部分が短縮してゼロになる。
【００８８】
本実施例２の枕１０Ａによれば、枕ケース１６Ａを開状態にすることなく、枕ケース１
６Ａの外側から紐３０及び３２の引き出し長さを調整するだけで、枕の仰臥時高さを調整
することができるという効果を奏する。
【００８９】
図１４（Ａ）及び（Ｂ）に示すように、紐３０の引き出し長さを紐３２のそれを長くす
ることにより、枕ケース１６Ａの長さは、奥域方向前端側（−Ｙ方向）の方が後端側（Ｙ
方向）より短くなる。これにより、枕側部１１及び１２の対向方向をＹ方向側に傾斜させ
ることができる。
【００９０】
この傾斜により、仰臥状態において、当接境界線ＢＬ１、ＢＬ２の−Ｙ方向側が頭部重
心側に近づくので、図１３の場合よりも横臥姿勢への横転が、奥域方向前端側においてし
易くなり、全体として、横転し易くなる。また、仰臥状態での枕高さが、−Ｙ方向側の方
がＹ方向側より少し高くなるので、ユーザの姿勢によっては、図１３の場合よりも、首の
負荷を低減可能である。この点は、紐３０の引き出し長さを紐３２のそれを短くした場合
も同様である。
【００９１】
本実施例２の枕１０Ａによれば、紐３０と３２の引き出し長さを互いに異ならせること
により、枕の仰臥時高さを奥域方向について傾斜調整することができるという効果を奏す
る。
【００９２】
他の点は、実施例１と同一である。
【実施例３】
【００９３】
図１５（Ａ）は、本発明の実施例３の枕１０Ｂの斜視図であり、図１５（Ｂ）は、図１
５（Ａ）の枕１０Ｂを、図示Ｚ軸の回りに１８０°回転したときの斜視図である。
【００９４】
この枕１０Ｂの間隔調整手段では、枕側部１１Ａと１２Ａとを紐で連結し、該紐の長さ
を調整することにより、仰臥状態での傾斜した枕側部１１Ａと１２Ａとの間隔を定めてい
る。
【００９５】
具体的には、図１５（Ａ）に示すように、枕側部１１Ａ、１２Ａの仰臥時肩側（−Ｙ方
向側）の布袋側面にそれぞれ、ガイド１１６、１２６を支持片１１７、１２７を介して取
着し、枕ケース１６Ｂのこれら側の面の中央部に鳩目１６４を形成し、１本の紐３０をガ
イド１１６、１２６に通し、紐３０の両端部を鳩目１６４に通して枕ケース１６Ｂから外
部に引き出し、さらに、コードストッパー３１のノブを押下してロックを解除し、紐３０
の両端部をノブの孔に通し、押下を止めて紐３０をロックすることにより、この面側の枕
側部１１Ａと１２Ａとの連結長さを調整可能に構成している。
【００９６】
枕側部１１Ａ、１２Ａの上記側面と対向する枕側部１１Ａ、１２Ａの面についても同様
に、図１５（Ｂ）に示すように、ガイド１１８、１２８を、支持片１１９、１２９を介し
て布袋側面に取着し、枕ケース１６Ｂのこれら側の面の中央部に鳩目１６５を形成し、１
本の紐３２をガイド１１８、１２８に通し、紐３２の両端部を鳩目１６５に通して枕ケー
ス１６Ｂから外部に引き出し、さらにこれを、ロックを解除したコードストッパー３３の
孔に通して紐３２をロックすることにより、この面側の枕側部１１Ａと１２Ａとの連結長
さを調整可能に構成している。
【００９７】
図１５の状態から、コードストッパー３１のノブを押下してロックを解除し、紐３０の
先端部を引き出し、同様に、コードストッパー３３のノブを押下してロックを解除し、紐
３２の先端部を引き出すと、図１６に示すように、引き出し長さに応じて、枕側部１１Ａ
、１２Ａ間の距離が調整される。
【００９８】
また、紐３０の引き出し長さを紐３２のそれと異ならせば、実施例２で説明したような
作用効果を奏する。
【００９９】
本実施例３の枕１０Ｂによれば、枕ケース１６Ｂの中央部を縮ませること無く、枕側部
１１Ａ、１２Ａ間の距離を調整することができるという効果を奏する。
【０１００】
他の点は、実施例２と同一である。
【実施例４】
【０１０１】
図１７（Ａ）は、本発明の実施例４の枕１０Ｃの斜視図であり、図１７（Ｂ）は、図１
７（Ａ）の枕１０Ｃを、その上面の中心の法線の回りに１８０°回転したときの斜視図で
ある。
【０１０２】
この枕１０Ｃの間隔調整手段では、実施例３での枕奥域方向両側の紐を１本で連結する
ことにより、一方側のみで枕側部１１Ａと枕側部１２Ａとの間隔を調整している。
【０１０３】
具体的には、図１５の鳩目１６４、紐３０及びコードストッパー３１を省略し、図１７
（Ａ）に示すように、１本の紐３４を、ガイド１１６、１２６に通した後、枕側部１１Ａ
、１２Ａの対向面側を通って枕ケース１６Ｃの底面中央部側でクロスし、図１７（Ｂ）に
示すように、枕側部１２Ａ、枕側部１１Ａの対向面側を通り、紐３４の一端側はガイド１
２８を通り、他端側はガイド１１８を通り、紐３４の両端部を鳩目１６５に通して枕ケー
ス１６Ｃから外部に引き出し、さらに、コードストッパー３３のノブを押下してそのロッ
クを解除し、該ノブの孔に通し、ノブ押下を止めてロックすることにより、枕側部１１Ａ
と１２Ａとの間隔が調整される。
【０１０４】
枕側部１１Ａ、１２Ａ間の距離を短くする場合には、図１７の状態から、コードストッ
パー３３のノブを押下してロックを解除し、紐３４の先端部を引き出す。コードストッパ
ー３３側の紐引き出し直列抵抗が、反対側のそれより小さいので、ガイド１１８、１２８
間の距離が、ガイド１１６、１２６間のそれよりも短くなる。これは次のようにして修正
される。すなわち、後頭部を枕上部１３Ａの中央部に載置して仰臥状態になり、左右の手
で枕ケース１６Ｃを介しそれぞれ枕側部１２Ａ、１１Ａを矢印３５、３６側へ押圧するこ
とにより、両距離を等しくし又は図１４のように異ならせることができる。
【０１０５】
枕側部１１Ａ、１２Ａ間の距離を長くする場合には、コードストッパー３３のノブを押
下してロックを解除し、コードストッパー３３から引き出されている紐３４の先端部を短
くするように、紐３４に沿ってコードストッパー３３を移動させる。次に、後頭部を枕上
部１３Ａの中央部に載置して仰臥状態になる。枕中央部高さが最小値の状態で、コードス
トッパー３３と鳩目１６５との間の距離がゼロでなく、図８（Ａ）又は（Ｂ）に示すよう
な状態にしたい場合には、左右の手を、枕ケース１６Ｃを介しそれぞれ枕側部１２Ａ、１
１Ａの底面に当て、傾斜している枕側部１２Ａ、１１Ａを互いに接近する方に押圧して枕
側部１２Ａ、１１Ａ間を離間させ、コードストッパー３３と鳩目１６５との間の距離をゼ
ロにする。この際、枕１０Ｃを頭とともに少し上方に上げておく。
【０１０６】
本実施例４の枕１０Ｃによれば、コードストッパー３３から引き出された１本の紐３４
の両端部長さを調整することにより、枕側部１１Ａ、１２Ａ間の距離を調整することがで
きるという効果を奏する。
【０１０７】
他の点は、実施例３と同一である。
【実施例５】
【０１０８】
図１８（Ａ）は、本発明の実施例５の枕１０Ｄの斜視図であり、図１８（Ｂ）は、図１
８（Ａ）の枕１０Ｄを、その上面の中心の法線の回りに１８０°回転したときの斜視図で
ある。図１９は、図１８（Ａ）の枕１０Ｄの本体の分解斜視図である。
【０１０９】
この枕１０Ｄの間隔調整手段では、１本の紐３４を枕本体の回りに周回させて枕側部１
１Ａと枕側部１２Ａとの間隔の増加を制限するとともに、紐３４と枕上部１３Ｂとでルー
プを形成することにより、仰臥状態において枕上部１３Ｂの両端を枕長手方向外側に引っ
張るようにしている。
【０１１０】
具体的には、図１９に示すように、軟質発泡プラスチックシート１４Ｂの布袋底面の長
手方向両端部中央にそれぞれリード１４３、１４４を逢着し、それぞれの先端部を折り返
してリングを縫製し、これらリングにそれぞれガイド１４５、１４６を鎖状に連結してい
る。
【０１１１】
そして、図１８（Ａ）に示すように、１本の紐３４の一端を、ガイド１１６、１４５、
１１８の順に通し、紐３４の他端を、ガイド１２６、１４６、１２８の順に通し、さらに
紐３４の両端部を、枕ケース１６Ｃの鳩目１６５に通して外部に引き出し、コードストッ
パー３３のノブを押下してそのロックを解除し、該ノブの孔に通し、ノブ押下を止めてロ
ックすることにより、枕側部１１Ａと枕側部１２Ａとの間隔が調整される。
【０１１２】
図１８の状態から、実施例４の場合と同様にして、枕側部１１Ａと枕側部１２Ａとの間
隔を図２０（Ａ）、（Ｂ）に示すように変えることができる。また、図１４と同様に枕側
部１１Ａと枕側部１２Ａの対向方向を容易に変更することができることは、以上の説明か
ら明らかである。
【０１１３】
本実施例５の枕１０Ｄによれば、１本の紐３４の連結長さを調整することにより、枕側
部１１Ａ、１２Ａ間の距離を調整することができるという効果を奏する。
【０１１４】
また、枕長手方向垂直面に関し対称的に枕上部１３Ｃを紐３４で枕側部１１Ａ、１２Ａ
に取り付けているので、枕側部１１Ａ、１２Ａに対し枕上部１３Ｃが位置ずれするのを防
止することができるという効果を奏する。
【０１１５】
さらに、枕上部１３Ｂのガイド１４５、１４６間が、枕側部１１Ａ、１２Ａを互いに接
近する方向に抱き込んだ紐３４で連結されてループを構成しているので、仰臥状態におい
て枕上部１３Ｂの長手方向中央部に働く張力を、実施例２〜４の場合よりも大きくするこ
とができ、これにより、枕上部１３Ｂから後頭部に働く垂直応力の分布をより均一化する
ことができるという効果を奏する。
【０１１６】
他の点は、実施例４と同一である。
【実施例６】
【０１１７】
以上の実施例では、一対の自由状態の枕側部について、対向側端部底面の高さが枕の長
手方向中央部に向かうほど連続的に高くなっていている場合を説明したが、連続的では無
くステップ状に高くなっていてもよく、これを本発明の実施例６として以下に説明する。
【０１１８】
図２１は、本発明の実施例６の枕（枕ケースなどは図示省略）を、人体との関係で示す
概略正面図である。
【０１１９】
枕側部１１Ｂは、仰臥状態でブロック１１４の底面が寝床Ｓに当接するとき、ブロック
１１４に重ねられるシート１１５０Ｂ及び１１５１Ｂの先端も寝床Ｓに当接するように、
シート１１５０Ｂ及び１１５１Ｂの枕長手方向の長さを定めている。
【０１２０】
この構成により、シート１１５０Ｂ及び１１５１Ｂの上面矩形サイズをブロック１１４
のそれと同一にした場合よりも、後頭部を、枕側部１１Ｂを介し枕上部１３Ｂで支持する
面積が増加する。
【０１２１】
図２２は、枕側部１１Ｂの分解斜視図である。カバー１１０Ｂの形状が、これに挿入さ
れるブロック１１４、シート１１５０Ｂ及び１１５１Ｂの形状に対応して、先端部垂直面
高さが図３のそれより低くなっている。
【０１２２】
図２３（Ａ）〜（Ｄ）はそれぞれ、図１０（Ａ）〜（Ｄ）に対応している。
【０１２３】
図２１及び図２３（Ａ）〜（Ｄ）のいずれの図からも明らかなように、仰臥状態で上記
ステップ状変化は連続変化の場合と同じであり、横転時はステップ状変化部が寝床Ｓから
離れるので、枕の動作、機能はステップ状変化に影響されないことが理解できる。
【０１２４】
同様に、図２２のブロック１１４の傾斜面１１４ｂをステップ状変化に変えても、枕の
動作、機能はこれに影響されない。
【０１２５】
また、曲面１１４ｃをステップ状変化に変えた場合、横転時に床面Ｓとの当接境界線が
不連続的に変化するが、一般に寝床Ｓがクッション性を有するので、段差が１０ｍｍ程度
であれば、枕の機能はこれに殆ど影響されないであろうことが理解できる。従って、ブロ
ック１１４を矩形板シートの積層で近似して構成しても、層間が殆どずれないように接着
し又はカバー１１０Ｂ内に締め付けて固定すれば問題ないことが分かる。
【０１２６】
他の点は、実施例５と同一である。
【実施例７】
【０１２７】
図２４（Ａ）は、本発明の実施例７の枕本体を示す概略正面図である。
【０１２８】
この枕本体では、自由状態で枕側部１１Ｃ、１２Ｃの対向側端部上面の高さが、枕長手
方向中央部に向かうほど連続的に低くなっている。この例では、該上面が対向側に傾斜し
た傾斜面４０、４１となっている。
【０１２９】
図２４（Ｂ）は、この枕本体を、仰臥姿勢の人体とともに示す概略正面図である。図２
４（Ｂ）中の２点鎖線は、同じ仰臥姿勢での図５（Ｂ）中の枕本体を比較のために示す。
【０１３０】
この図から明らかなように、仰臥姿勢での枕中央部の状態は実施例５の場合と同じであ
る。一方、枕側部１１Ｃ、１２Ｃの寝床Ｓに対する傾斜は、実施例５の場合よりも小さく
なる。ただし、横転時の上記持ち上げ動作が生ずるのはこの傾斜角が０になるまでの期間
であり、また、上述の粒状物のリセットが実施例５の場合よりも弱くなる。
【０１３１】
図２５（Ａ）〜（Ｃ）は図２４の枕を横転中の人体とともに示す概略正面図である。図
２５（Ａ）中の２点鎖線は、同じ姿勢での実施例５の枕本体を比較のために示す。図２５
（Ａ）の横転初期及び図２５（Ｃ）の横転完了時の状態はそれぞれ、傾斜面４０、４１の
部分を除いて図６（Ａ）及び（Ｃ）と同一である。
【０１３２】
図２６（Ａ）〜（Ｃ）は、図１０と同様にして枕中央部高さを変えた場合を示す。図中
の２点鎖線は、図１０との比較を分かりやすくするためのものである。図１０の場合より
も枕中央部の最大高さが低くなるが、通常の仰臥姿勢としては充分である。
【０１３３】
図２７は、枕側部１１Ｃの分解斜視図である。
【０１３４】
ブロック１１４０は、図３のブロック１１４の傾斜面１１４ｂの斜め上下方向幅を短く
してブロック１１４の厚みをΔＨだけ低くしたものである。このブロック１１４０と、高
さΔＨの対向面傾斜シート１１４１との間に、横臥姿勢での適切な枕高さに応じて矩形の
シート１１５０Ｃ又は／及びシート１１５１Ｃを介在させ又はさせない。すなわち、ブロ
ック１１４０と対向面傾斜シート１１４１とが必須のペアになっている。
【０１３５】
対向面傾斜シート１１４１は、矩形シートの前端部上面を斜めに切除した形状である。
カバー１１０Ｃは、この傾斜面４０に対応した傾斜面４１を有する。また、カバー１１０
Ｃにはさらに、仕切り布１１２１の上方に、仕切り布１１２２の両側端部がカバー１１０
Ｃ内面に逢着されて、対向面傾斜シート１１４１用の布製収容棚が形成されている。
【０１３６】
他の点は、実施例５と同一である。
【実施例８】
【０１３７】
図２８（Ａ）は、本発明の実施例８の枕１０Ｅの斜視図であり、図２８（Ｂ）は、図２
８（Ａ）の枕１０Ｅを、その上面の中心の法線の回りに１８０°回転したときの斜視図で
ある。
【０１３８】
この枕１０Ｅは、枕上部１３Ｃに特徴があり、枕上部１３Ｃの粒状物シート１５Ａは、
図１のセグメント１５３、１５４及び１５５のそれぞれに、枕長手方向に平行な仕切りを
１つ形成して、それぞれセグメント１５３０、１５３１と、セグメント１５４０、１５４
１とセグメント１５５０、１５５１とに２分割している。これにより、寝返り回数増加に
ともなって粒状物が枕奥域方向に偏在する量を低減している。
【０１３９】
図２９（Ａ）は、枕上部１３Ｃの軟質発泡プラスチックシート１４Ｃの概略縦断面図で
ある。
【０１４０】
軟質発泡プラスチックシート１４Ｃは、その袋体１４７内が仕切り布１４７０、１４７
１で長手方向に関し３分割されている。これに対応して、軟質発泡プラスチックシート本
体、例えば実施例１で述べたポリウレタンシートが、サブシート１４８０、１４８１及び
１４８２に３分割されて、それぞれが前記仕切りで形成されたサブ袋内に収容されている
。中央部のサブ袋には、例えばその側面に不図示の線ファスナーが取り付けられて、サブ
シート１４８２が挿抜自在となっている。
【０１４１】
図２９（Ｂ）は、図２９（Ａ）の状態からサブシート１４８２を取り出した状態の、軟
質発泡プラスチックシート１４Ｃの概略縦断面図である。図２９（Ｃ）は、図２９（Ｂ）
の軟質発泡プラスチックシート１４Ｃを用いた枕の仰臥状態での概略正面図である。
【０１４２】
仕切り布１４７０、１４７１は枕側部１１Ｃと枕側部１２Ｃとの間に位置していて、枕
側部１１Ｃ、１２Ｃの対向側先端部がそれぞれサブシート１４８０、１４８１及び図１９
の粒状物シート１５Ｂを介して頭部Ｈを支持している。
【０１４３】
粒状物シート１５Ａのセグメント１５６を除く各サブ袋内粒状物は、サブ袋内で高さを
均一化した状態で１０ｍｍ程度であるので、頭部Ｈの最下点は粒状物が殆ど排除され、そ
の部分の高さは袋体の厚み程度であり、仰臥状態での枕高さを殆どゼロにすることができ
る。
【０１４４】
姿勢が矯正されて正しくなった場合、壁に背中を当てた自然な立ち姿勢において顎を少
し引くと、後頭部、肩甲骨、尻及び足のかかとが壁に付く。この状態では、頭の重心が体
軸上に有り、首の筋肉を殆ど使わずに殆ど骨のみで頭を支えることができる。アフリカの
少女は、このような姿勢で、２０〜３０ｋｇの水瓶を頭に乗せて運ぶと言われている。こ
の状態を仰臥姿勢に対応させれば、仰臥姿勢での枕高さは殆どゼロになる。
【０１４５】
本実施例の枕１０Ｅは、このような人又は枕を使わずに仰臥姿勢で寝床上に寝ている人
に、好適である。
【０１４６】
サブシート１４８２を除いた場合には、枕側部１１Ｃ、１２Ｃの対向側先端部がそれぞ
れサブシート１４８０、１４８１より枕中央部側に位置するのを避けるため、図２９（Ｃ
）の状態から、枕中央部高さを調整しない。
【０１４７】
サブシート１４８２を元に戻した場合には、上述のように、コードストッパー３３から
の紐３４の引き出し長さを調整することにより、ストレートネックや猫背の人でも、矯正
の程度に応じて、１つの枕１０Ｅで枕形状を適切なものにすることが可能となる。
【０１４８】
なお、図２９（Ｄ）に示すように、軟質発泡プラスチックシート１４Ｄの中央部厚み変
化をより緩やかにするため、軟質発泡プラスチックシート本体１４８３の中央部を切除し
て凹部を形成し、切除されたサブシート１４８４をこの凹部に嵌合させておき、サブシー
ト１４８４を挿抜自在にした構成であってもよい。
【実施例９】
【０１４９】
図３０は、本発明の実施例９の枕１０Ｆの分解斜視図である。
【０１５０】
この枕１０Ｆの枕側部１１Ｄは、対向側傾斜面下端部が平面であり、底面との境界線を
有する。換言すれば、実施例１で説明した図２の曲面１１４ｃの中心角が０°である。よ
り詳細には、枕側部１１Ｄでは、直方体のクッション性部材、例えばポリウレタンフォー
ムが斜め４５°にカットされて２等分され、その一方が、この外形に対応した線ファスナ
ー付き布カバーに収容されている。枕側部１１Ｄの上面は矩形である。枕側部１２Ｄは、
枕側部１１Ｄと同一構成であり、前記２等分されたものの他方が用いられている。
【０１５１】
一方、枕本体収容体としての枕ケース１６Ｄは、その内部空間が布の仕切り１６７で上
下に分割され、その下部に枕側部１１Ｄ及び１２Ｄが収容され、その上部に枕上部１３Ｄ
が収容される。枕ケース１６Ｄの背面上部には、線ファスナー１６８が逢着されている。
【０１５２】
枕上部１３Ｄの下面に図１９に示すようなリード１４３及び１４４を逢着する替わりに
、仕切り１６７の下面に、布のリード１４３Ａ及び１４４Ａの一端が逢着され、それぞれ
他端にガイド１４５及び１４６が取着されている。
【０１５３】
この構成により、枕上部１３Ｄがその下方の構成から独立したものになっている。すな
わち、枕上部１３Ｄを、バスタオルを折りたたんだもので構成したり、枕上部１３Ｄを２
種以上のシートの積層構造にした場合に、その積層順を変更したり、枕上部１３Ｄを省略
したりすることができる。枕上部１３Ｄを省略した場合、枕ケース１６Ｄの上面部１６６
が枕上部を構成する。
【０１５４】
枕ケース１６Ｄは、短手方向首側の高さが、外側に行くほど減少して底面と連なってい
る。枕上部１３Ｄの短手方向幅は、枕側部１１Ｄのそれよりも例えば１００ｍｍ長く、枕
ケース１６Ｄの上部空間の短手方向に沿った、曲がった長さに略等しい。
【０１５５】
図３１は、枕側部１１Ｄ及び１２Ｄと間隔制限手段とを示す斜視図であり、仕切り１６
７を２点斜線で示している。
【０１５６】
布製テープのガイド１１ａ及び１１ｂはそれぞれ、枕側部１１Ｄ及び１２Ｄの枕長手方
向外側の面に逢着されている。リード１４３Ａ及び１４４Ａはそれぞれ、ガイド１１ａ及
び１２ａに案内され、ガイド１４５及び１４６に紐３４が通される。
【０１５７】
紐３４を延ばしたときの２等分点には、面ファスナー片３５が逢着されている。これに
対応して、図３０に示すように、枕ケース１６Ｄの底の上面の長手方向２等分点に、面フ
ァスナー片３６が逢着されている。
【０１５８】
枕ケース１６Ｄにはまた、コードストッパー３３に対応して、背面長手方向中央部に引
出孔１６５０が形成され、カードリングで構成されたつまみ１７０及び１７１に対応して
、長手方向端面（側面）に引出孔１６５１及び１６５２が形成されている。引出孔１６５
０〜１６５２はいずれもボタン穴と同様に形成されている。
【０１５９】
他の構成は、実施例５と同一である。
【０１６０】
次に、図３０のように分解された枕の組み立てを説明する。
【０１６１】
線ファスナー１６８を開状態にし、枕側部１１Ｄ及び１２Ｄを枕ケース１６Ｄ内の下部
空間に収容し、面ファスナー片３５を面ファスナー片３６に係着させ、ガイド１４５及び
１４６を開状態にして紐３４を通させ閉状態にして図３１の状態にし、コードストッパー
３３を引出孔１６５０に通して枕ケース１６Ｄの外部に配置させ、つまみ１７０及び１７
１の一部をそれぞれ引出孔１６５１及び１６５２に通し、つまみ１７０及び１７１を開状
態にしてガイド１１ａ及び１２ａに係合させ閉状態にし、さらに引出孔１６５１及び１６
５２から引き出す。次に、枕上部１３Ｄを枕ケース１６Ｄ内の上部空間に収容し、線ファ
スナー１６８を閉状態にする。
【０１６２】
図３２（Ａ）及び（Ｂ）はいずれも、枕の組み立て状態の斜視図であり、（Ｂ）は（Ａ
）と異なる方位から見た斜視図である。
【０１６３】
枕上部１３Ｄの短手方向首側が、枕側部１１Ｄ及び１２Ｄの短手方向首側の面を離間し
て覆うように枕ケース１６Ｄ内の上部空間に収容されているので、首を柔らかく支えるこ
とができるとともに、枕外形をより曲面化してデザイン性を向上させることができる。
【０１６４】
ここで、枕上部１３Ｄが例えば厚み１０ｍｍのクッション性シート、例えばウレタンフ
ォームシートのとき、撓みやすく、仰臥状態から後頭部を上げて仰向け寝高さを増加させ
るために紐３４を引き出す際に、枕ケース上面中央部が下に湾曲している。しかし、この
引き出しにより、帯状部でもある仕切り１６７の中央部がリード１４３Ａ及び１４４Ａを
介し枕長手方向外側へ引っ張られて緊張し、枕ケース上面中央部を押し上げるので、枕側
部１１Ｄと１２Ｄとの間に枕上部１３Ｄが挟まれて屈曲するのを防止することができる。
【０１６５】
仰向け寝高さを減少させる場合には、コードストッパー３３からの紐３４の引き出し長
さを減少させ、つまみ１７０及び１７１を把持し外側に引っ張って、枕側部１１Ｄ、１２
Ｄの間隔を増加させる。
【０１６６】
図３３（Ａ）〜（Ｅ）は枕上部１３Ｄを使用しない場合での仰臥状態から横臥状態への
変化を説明する概略正面図である。図３３（Ｂ）〜（Ｅ）には、枕側部１２Ｄと頭部Ｈと
の間に働く力Ｆ及びその反作用−Ｆが示されている。
【０１６７】
図３３（Ａ）に示すように、頭部Ｈのサイズに応じて枕側部１１Ｄと１２Ｄとの間隔を
調整することにより、仰臥状態での枕高さをゼロにするとともに、枕側部１１Ｄ及び１２
Ｄの対向側部分で後頭部を支持して、後頭部が受ける体圧を分散させることができる。
【０１６８】
また、図２９（Ａ）及び（Ｂ）に示すような構成のクッション性シート１４Ｃを用いる
必要がない（シート１４Ｃは頭部Ｈのサイズに応じて仕切り１４７０と１４７１との間隔
を調整できない。）。
【０１６９】
図３３（Ｂ）〜（Ｄ）に示すように、枕側部１２Ｄの底面角部が曲面でなくても、クッ
ション性により角部が凹むので、底面角部が曲面の場合と同様に機能し、上記実施例１で
述べたように、頭部Ｈの横転に追従して枕側部１２Ｄが回転する。
【０１７０】
さらに、枕側部１１Ｄ及び１２Ｄの形状が上記各実施例よりも簡単であるので、枕の製
造コストを低減できる。
【０１７１】
図３３（Ａ）〜（Ｅ）から明らかなように、本願発明は枕上部を含まない構成であって
もよい。
【０１７２】
なお、上記各実施例において、本実施例９と同様に枕側部の底面角部形状を簡単化（上
記中心角０°に）しても、寝床がクッション性を有すれば、枕側部底面角部が寝床と面接
触するので、底面角部が曲面の場合と同様に機能し、頭部Ｈの横転に追従して枕側部が回
転する。
【０１７３】
枕側部１１Ｄと１２Ｄとの間隔を０にし、さらに両者を接近させると、これらの対向側
先端部が圧縮状態で図１１（Ｂ）のように突っ張った状態になるが、場合によっては、図
３４に概略を示すように、枕側部１１Ｄ及び１２Ｄのクッション性により、これらの対向
側先端部が重なり合う。後者の場合でも、枕側部１１Ｄと１２Ｄとの間隔（負の値）を調
整することにより、仰臥時高さを調整することができる。
【実施例１０】
【０１７４】
図３５は、本発明の実施例１０の枕１０Ｇの分解斜視図である。図３６（Ａ）は、図３
５中の枕本体収容体としての枕カバー１６Ｅを開いた状態の概略平面図、図３６（Ｂ）は
、開いた状態の枕カバー１６Ｅ上に枕本体を組み付けた状態の概略平面図であり、図３６
（Ｃ）は、図３６（Ｂ）の枕カバー１６Ｅを閉じた状態の背面図である。
【０１７５】
この枕１０Ｇの枕カバー１６Ｅは、図３６（Ａ）に示すように、底面及び背面（短手方
向頭頂側の面）を構成するカバー片１６９の一方の長辺に、残りの面を構成するカバー片
１６ａの一方の長辺が逢着されている。
【０１７６】
カバー片１６９は、摩擦係数が寝床のそれより大きい（より粗面の）布生地、例えばタ
オル生地で形成されており、畳の上などの滑りやすい面の上で枕１０Ｇを使用した場合に
、寝返り時に枕カバー１６Ｅの底面が滑らないようにしている。
【０１７７】
また、カバー片１６９の上面の枕底面に相当する領域には、円滑面の布１６９０が逢着
されている。円滑面１６９０は、摩擦係数がカバー片１６９よりも小さい（より滑らかな
）生地、例えばポリエステル１００％の裏地用生地で形成されている。これにより、コー
ドストッパー３３からの紐３４の引き出し長さを増加させて枕側部１１Ｅ、１２Ｅの間隔
を狭めた場合に、カバー片１６９の底面領域に皺がよるのを防止している。
【０１７８】
カバー片１６ａ上には、図３６（Ｂ）に示すように、クッション性シート１４Ｅの４隅
を係止するためのゴムバンド１６ａ０〜１６ａ３のそれぞれの両端部が逢着されている。
【０１７９】
図３０の仕切り１６７の機能を達成する構成は、本実施例１０の場合、これらゴムバン
ド１６ａ０〜１６ａ３と、枕側部１１Ｅ及び１２Ｅ上に配置された帯状物３７との構成に
分離されている。
【０１８０】
図３５に示すように、帯状物３７には、その長手方向両端の辺の中央部にそれぞれリー
ド１４３Ａ及び１４４Ａの一端が逢着され、他端にそれぞれガイド１４５及び１４６が取
着されている。帯状物３７の短手方向幅は、枕側部１１Ｅのそれに略等しい。この幅は、
粒状物シート１５Ｅを帯状物３７上に取り付けないのであれば、枕側部１１Ｅのそれの半
分程度でも問題ない。
【０１８１】
リード１４３Ａ及び１４４Ａを、帯状物３７の長手方向外側に引っ張った場合に、帯状
物３７の短手方向両側部が緊張するようにするため、帯状物３７は、その長手方向のサイ
ズが、短手方向中央側ほど大きくなっている。これにより、帯状物３７は、自由状態で中
央部が凹型曲面となる。このような帯状物３７は、図３７（Ａ）に示すような帯状物片３
７０の凸辺３７０ａと帯状物片３７１の凸辺３７１ａとを重ねて逢着することにより、形
成される。帯状物片３７０と３７１とは互いに合同で、矩形の一方の短辺を凸形曲線にカ
ットしたものである。図３５では、前記逢着した部分のミシン目を符号３７２で示してい
る。
【０１８２】
なお、帯状物３７の替わりに、図３７（Ｂ）に示すような帯状物３７Ａを用いてもよい
。この帯状物３７Ａは、長方形の布の長手方向両端部に、細幅の収容部３７Ａ０及び収容
部３７Ａ１を形成し、これらにプラスチックのバー若しくはロッド又はビニールのバーな
どを挿入して、図３５のリード１４３Ａ及び１４４Ａを外側に引っ張った場合に、帯状物
３７Ａの短手方向位置によらず略均一に緊張するようにしている。
【０１８３】
一方、仰臥状態での後頭部及び首部に対応して、着脱自在の粒状物シート１５Ｅを備え
ている。粒状物シート１５Ｅの、枕の短手方向の幅は、枕側部１１Ｅのそれに略等しく、
これと直角な方向の幅は、例えば１５０ｍｍである。粒状物シート１５Ｅは、布袋にマイ
クロビーズを、均一高さにしたときに例えば８ｍｍとなる量だけ封入したものである。粒
状物シート１５Ｅの下面４隅には、互いに同一サイズの面ファスナー片１５Ｅ０〜１５Ｅ
３が逢着されている。
【０１８４】
面ファスナー片１５Ｅ０〜１５Ｅ３に対応して、帯状物３７の長手方向中央側に、面フ
ァスナー片３７５〜３７８が逢着されている。
【０１８５】
粒状物シート１５Ｅをクッション性シート１４Ｄではなく帯状物３７に係着しているの
で、クッション性シート１４Ｄを用いない場合にも粒状物シート１５Ｅを用いることがで
きる。
【０１８６】
粒状物シート１５Ｅにより、後頭部の体圧が均一化されて、粒状物シート１５Ｅを用い
ない場合よりも、後頭部がよりソフトに支持されている感じになる。
【０１８７】
図３８（Ａ）は、図３５中の枕側部１１Ｅの分解斜視図であり、図３８（Ｂ）は該枕側
部を組み立てた状態の斜視図である。
【０１８８】
枕側部１１Ｅは、図２２に示すようなカバーへのシート挿入方式ではなく隣接シート係
着方式であって、クッション性ブロック１１４Ｅ上にクッション性シート１１５０Ｅを係
着させ、シート１１５０Ｅ上にクッション性シート１１５１Ｅを係着させることで、組み
立てられる。シート１１５０Ｅ及び１１５１Ｅの厚みは互いに等しく、以下、これをｔと
する。
【０１８９】
ブロック１１４Ｅ、シート１１５０Ｅ及び１１５１Ｅはいずれも、実施例９で述べたよ
うにカットしたクッション性部材を布袋に収容し、側面に係着具を逢着したものである。
該係着具については、ブロック１１４Ｅの両側面上部中央側に、スナップボタン片１１ｄ
及び１１ｅが互いに面対称に逢着され、シート１１５０Ｅの両側面上部中央側に、隣接係
着具１１ｆ及び１１ｇが互いに面対称に逢着され、シート１１５１Ｅの両側面上部中央側
に、隣接係着具１１ｈ及び１１ｉが互いに面対称に逢着されている。スナップボタン片は
、ペアでスナップボタンを構成するものの一方である。
【０１９０】
スナップボタン片１１ｄ及び１１ｅの中心位置は、ブロック１１４Ｅの上面から垂直下
方に略ｔ／２（「略」は、使用時にシート間位置ずれが問題ない程度に収まるように略ｔ
／２の値が定められるという意味である。以下、同様。）の距離である。
【０１９１】
隣接係着具１１ｆでは、支持片１１ｆ０の上部がシート１１５０Ｅの布袋に逢着され、
この上部にスナップボタン片１１ｆ１が取着され、支持片１１ｆ０の下部にスナップボタ
ン片１１ｆ２が取着されている。支持片１１ｆ０の高さは略２ｔであり、スナップボタン
片１１ｆ１及び１１ｆ２の中心位置は、シート１１５０Ｅの上面から垂直下方に略ｔ／２
、略３ｔ／２の距離である。上記面対称性から、隣接係着具１１ｇの支持片１１ｇ０〜１
１ｇ２はそれぞれ隣接係着具１１ｆの支持片１１ｆ０〜１１ｆ２に対応している。
【０１９２】
隣接係着具１１ｈは、支持片１１ｈ０の上部がシート１１５１Ｅの布袋に逢着され、支
持片１１ｈ０の下部にスナップボタン片１１ｈ２が取着されている。支持片１１ｈ０の高
さは略２ｔであり、スナップボタン片１１ｈ２の中心位置は、シート１１５１Ｅの上面か
ら垂直下方に略３ｔ／２の距離である。上記面対称性から、隣接係着具１１ｉの支持片１
１ｉ０、スナップボタン片１１ｉ２はそれぞれ隣接係着具１１ｈの支持片１１ｈ０、スナ
ップボタン片１１ｈ２に対応している。
【０１９３】
支持片１１ｆ０、１１ｇ０、１１ｈ０及び１１ｉ０の幅は、それぞれ、その面内でクッ
ション性部材の上面と平行な方向の、通常加わる力で殆ど移動しないように定められる。
この幅は、支持片１１ｆ０の材料に依存する。この材料は、例えば布に接着芯を加熱圧着
したものである。
【０１９４】
ブロック１１４Ｅには、係着具の他に、図３０と同様なガイド１１６及び１１８がそれ
ぞれ支持片１１７及び１１９を介して取着され、図３０のガイド１１ａの替わりに、ガイ
ド１１ｂが支持片１１ｃを介して取着されている。
【０１９５】
上記のような構成の枕側部１１Ｅにおいて、スナップボタン片１１ｆ２及び１１ｇ２を
それぞれスナップボタン片１１ｄ及び１１ｅに係合させることにより、ブロック１１４Ｅ
上にシート１１５０Ｅが係着され、スナップボタン片１１ｈ２及び１１ｉ２をそれぞれス
ナップボタン片１１ｆ１及び１１ｇ１に係合させることにより、シート１１５０Ｅ上に１
１５１Ｅが係着されて、図３８（Ｂ）の状態になる。
【０１９６】
この構成の枕側部１１Ｅによれば、シート挿入方式での未挿入シートによるカバー内空
きが生ぜず、また、シート挿入よりも容易にシートを着脱して枕側部１１Ｅの高さを調整
することができる。
【０１９７】
枕側部１２Ｅは枕側部１１Ｅと同一構成である。
【０１９８】
図３６（Ａ）に戻って、枕カバー１６Ｅでは、一方のカバー片１６９の外端側に、スナ
ップボタン片１６９１〜１６９６が取着され、これらに対応して、他方のカバー片１６ａ
の外端側に、スナップボタン片１６ａ４〜１４ａ９が取着されている。
【０１９９】
図３６（Ｂ）に示すように、クッション性シート１４Ｅの４隅をゴムバンド１６ａ０〜
１６ａ３とカバー片１６ａとの間に入れ、間隔制限手段を組み付けた枕側部１１Ｅ及び１
２Ｅを円滑面１６９０上に載置し、面ファスナー片３５を面ファスナー片３６に係着させ
る。
【０２００】
図３６（Ｂ）の状態で、紐３４の先端部をスナップボタン片１６９３と１６９４との間
に通らせてコードストッパー３３を枕カバー１６Ｅの外側に配置し、スナップボタン片１
６９１〜１６９６をそれぞれスナップボタン片１６ａ４〜１６ａ９と係着させると、枕の
背面は図３６（Ｃ）のようになる。
【０２０１】
スナップボタン片１６９３と１６９４との間隔及びこれに対応したスナップボタン片１
６ａ６と１６ａ７との間隔は、図３６（Ｃ）の状態でコードストッパー３３が枕カバー１
６Ｅ内に引き込まれるのを阻止できるという条件を満たすように定められる。この間隔は
、この条件下でできるだけ大きくした方が、紐３４の他との接触抵抗を低減できるので好
ましい。スナップボタン片１６９１は表面が滑らかなプラスチック製であり、且つスナッ
プボタン片の周面と紐３４が接するので、接触抵抗は比較的小さい。
【０２０２】
枕カバー１６Ｅを洗濯する場合は、スナップボタン片１６９１〜１６９６とスナップボ
タン片１６ａ４〜１６ａ９との係着を解除し、面ファスナー片３５と面ファスナー片３６
の係着を解除し、シート１４Ｅの４隅をゴムバンド１６ａ０〜１６ａ３とカバー片１６ａ
との間から離脱させるだけで、図３６（Ａ）の状態にすることができ、また、洗濯後の組
付けは、この逆の動作を行えばよいので、枕カバー１６Ｅの洗濯前後の取り扱いが容易で
ある。
【０２０３】
枕中央部の高さ調整でコードストッパー３３からの紐３４の引き出し長さを減少させた
後は、ブロック１１４Ｅ及び１２４Ｅを直接把持して、枕側部１１Ｅ、１２Ｅの間隔を広
げるとともに  両者の向き（開き角）を調整する。この把持は、カバー片１６ａの側部が
垂下しているだけなので、容易に行うことができる。コードストッパー３３からの紐３４
の引き出し長さを増加させた後に枕側部１１Ｅ、１２Ｅの開き角を調整する場合も同様で
ある。
【０２０４】
なお、ブロック１１４Ｅ及び１２４Ｅを直接把持しなくても、枕側部１１Ｅ、１２Ｅに
対する円滑面１６９０及び帯状物３７の相対的摩擦抵抗が比較的小さくなるように部材を
選定することにより、コードストッパー３３からの紐３４の引き出し長さを減少させた後
は、後頭部を枕１０Ｇから離間し枕１０Ｇを後頭部に当てて折り曲げる動作を繰り返すこ
とにより、枕側部１１Ｅ、１２Ｅの間隔を広げることができる。さらに、仰向け寝した状
態で枕両側の短手方向側面を押すことで枕１０Ｇ開き角を調整することができる。
【０２０５】
また、図３０に示すような引出孔１６５０〜１６５２を枕カバー１６Ｅに形成する必要
がないので、枕の製造コストを低減できる。
【０２０６】
他の点は、実施例９と同一である。
【０２０７】
図３９〜図４３は、本実施例１０の試作品の写真である。
【０２０８】
図３９（Ａ）は図３６（Ａ）に対応したものであり、図３９（Ｂ）は図３６（Ａ）から
粒状物シート１５Ｅを除いた構成に対応したものである。
【０２０９】
図４０（Ａ）は図３６（Ｂ）に対応したものであり、図４０（Ｂ）は図４０（Ａ）の状
態からカバー片１６ａをカバー片１６９側に折り畳んだ状態を示す写真であり、図４０（
Ｃ）は図３６（Ｃ）に対応したものである。
【０２１０】
図４１（Ａ）は首側斜め上方から撮影した写真であり、図４１（Ｂ）は枕にマネキン頭
部を載せて押し付けた後、手放してから撮影した写真である。
【０２１１】
図４２（Ａ）〜（Ｄ）は該試作品の枕にマネキン頭部を載せて押し付けた状態で後頭部
側斜め上方から撮影した写真であって、図４２（Ａ）は仰臥状態、図４２（Ｂ）は横臥状
態、図４２（Ｃ）はコードストッパ−からの紐引き出し長さを増加させた場合の仰臥状態
、図４２（Ｄ）は該長さをさらに増加させた場合の仰臥状態を示す写真である。
【０２１２】
図４３は図３９（Ｂ）の状態の枕本体中央部上にマネキン頭部を載せて押し付けた状態
で後頭部側から撮影した写真である。この仰臥状態では、図３３（Ａ）の状態と同様に、
枕中央部高さをゼロにするとともに、枕側部１１Ｅ及び１２Ｅの対向側端部で後頭部を支
持して、後頭部が受ける体圧を分散させているので、枕を使用しないで仰臥状態での後頭
部高さをゼロにした場合よりも寝心地がよい。
【実施例１１】
【０２１３】
図４４は、本発明の実施例１１の枕１０Ｈの分解斜視図である。
【０２１４】
この枕１０Ｈでは、図３５の広幅の帯状物３７の替わりに、細幅、例えば幅２ｃｍの帯
状物３７Ａと、帯状物３７Ａの上方で枕側部１１Ｅと枕側部１２Ｅとの間の隙間を覆うた
めのブリッジ３８とを用いている。帯状物３７Ａ及びブリッジ３８は、上記のような滑ら
かな裏地用生地で形成されている。ブリッジ３８では、その両端が、カバー片１６ａの長
手方向中央部において、カバー片１６ａの短手方向両端に逢着され、クッション性シート
１４Ｄの下方に位置している。ブリッジ３８の上面（シート１４Ｄ側の面）には、図３５
の帯状物３７上と同様に、面ファスナー片３７５〜３７８が逢着され、それぞれ、粒状物
シート１５Ｅの面ファスナー片１５Ｅ０〜１５Ｅ３が着脱自在に係着される。
【０２１５】
コードストッパー３３から紐３４を引き出して、枕側部１１Ｅ、１２Ｅの間隔を減少さ
せると、帯状物３７Ａが緊張してブリッジ３８の長手方向中央部が押し上げられる。この
際、枕側部１１Ｅ、１２Ｅの間にブリッジ３８の長手方向端部が挟まれたとしても、ブリ
ッジ３８が滑らかな生地であるので、シート１４Ｄの長手方向中央部が挟まれるのを防止
できる。
【０２１６】
他の点は、実施例１０と同一である。
【実施例１２】
【０２１７】
後頭部の曲面に対し、上記各実施例ではクッション材（粒状物シートを含む）で対応し
ているが、枕側部の形状で対応することもできる。しかし、ポリウレタンフォームなどの
クッション材の形状で対応すると、製造コスト高となる。また、該形状が、ユーザの頭の
サイズに依存する。次に、このような問題点を簡単な構成で解決する、本発明の実施例１
２を説明する。
【０２１８】
図４５（Ａ）は、本発明の実施例１２の枕側部で用いられるカバー１１ｊの斜視図であ
り、図４５（Ｂ）はこれを用いた枕側部１１Ｆの斜視図である。  
カバー１１ｊは、矩形の布帯１１ｊ０の両端略中央部間をゴムテープ１１ｊ１で連結し
て、ループ状にしたものである。
【０２１９】
カバー１１ｊで図３８（Ｂ）の枕側部１１Ｅの上面及び底面を含む外周を覆い、ゴムテ
ープ１１ｊ１を枕側部１１Ｅの後端面（ガイド１１ｂ側の面）側に位置させる。枕側部１
１Ｅがクッション性を有するので、これにより、枕側部１１Ｅが図４５（Ｂ）に示すよう
に変形する。
【０２２０】
ここで、枕側部１１Ｆの前端曲線の両端点及びこの曲線上の最も枕側部後端面に近い点
をそれぞれ点Ｓ１、Ｓ２及び点Ｓ０とする。また、枕側部１１Ｆの底面に平行な面をＸ−
Ｙ面、Ｙ軸を枕側部１１Ｆの後端面に垂直な方向とするＸＹＺ直交座標系を考える。
【０２２１】
カバー１１ｊにより点Ｓ０に力が加わる初期の状態を想定すると、図４５（Ｃ）に示す
ように、点Ｓ０にはカバー１１ｊの面と平行な張力Ｔ１及びＴ２が働き、その合力は両者
間の斜め下方のＦとなる。合力Ｆの水平成分により、点Ｓ０は、２点鎖線で示す直線Ｓ１
Ｓ２よりも−Ｙ方向側にずれ、垂直成分により、−Ｚ方向側にずれるので、図４５（Ｂ）
のように変形するのを理解できる。
【０２２２】
図４６（Ａ）は、上記カバーで覆われた一対の枕側部の試作品の写真である。図４６（
Ｂ）は、枕側部１１Ｆの対向側傾斜面を水平にした状態で、後頭部及び首部のフィット性
を確認するために、マネキン頭部を枕側部１１Ｆから少し横に離間させて撮影した写真で
ある。図４６（Ｃ）は、図４６（Ｂ）の写真上に、図４５（Ｂ）の点Ｓ０〜Ｓ２などを記
載したものである。直線Ｓ１Ｓ２と点Ｓ０の間の距離ｄの実測値は、１７ｍｍであった。
【０２２３】
他の点は、実施例１１と同一である。
【０２２４】
本実施例１２によれば、簡単な構成のカバー１１ｊを追加するだけで、仰臥状態におい
て、実施例１１の場合よりも後頭部のフィット性が向上する。
【０２２５】
また、仰臥状態の枕高さが同一という条件下で、実施例１１の場合よりも後頭部を枕側
部１１Ｆ側に近づけることができるので、横転して横臥状態へ移行した場合に、図６（Ｃ
）の頭部重心と床面当接境界線との間の距離Ｄが、実施例１１の場合よりも増加して、横
臥状態での安定度が向上する。換言すれば、最低高さの仰臥状態で後頭部を枕側部１１Ｆ
から、実施例１１の場合よりも離間させることができる。
【０２２６】
さらに、布帯１１ｊ０に対するゴムテープ１１ｊ１の位置又はゴムテープ１１ｊ１の長
さのパラメータを変えるだけで、枕側部１１Ｆを、ユーザの頭のサイズに応じた形に変形
できる。換言すれば、該パラメータが異なる複数のカバー１１ｊをユーザに提供したり、
ゴムテープ１１ｊ１の両端にフックを取着し布帯１１ｊ０の両端にループを取着し、両者
を係合させるようにするとともに、長さの異なる複数のフック付ゴムテープをユーザに提
供して、ユーザーに選択させることができる。
【０２２７】
図４７はカバー１１ｊの変形例を示す斜視図である。
【０２２８】
この構成では、図４５（Ａ）のゴムテープ１１ｊ１の替わりに、布帯１１ｊ０の長手方
向両端部の一方に複数のループ１１ｋ０を逢着し、これらに対応して他方にも、複数のル
ープ１１ｋ１を逢着し、これらの中から選択したものに紐１１ｋ２を通し、その両端を引
っ張って結ぶようにしている。紐１１ｋ２を上記のフック付ゴム紐とし、そのフックをル
ープ１１ｋ０、紐１１ｋ２の任意の２つ又は１つに係止するようにしてもよい。
【０２２９】
なお、カバー１１ｊを滑らかな布などで構成すれば、図３６（Ａ）に示す円滑面１６９
０を省略することができる。
【実施例１３】
【０２３０】
図４８（Ａ）は、本発明の実施例１３で用いられる枕側部１１Ｇの下部の分解斜視図で
あり、図４８（Ｂ）は上部も含む、１１Ｇを組み付けた状態の斜視図である。
【０２３１】
この１１Ｇでは、ブロック１１４Ｅの下側にクッション性シート１１５２Ｅが係着され
るようにしている。シート１１５２Ｅは、直方体のシートが布袋に収容されている。ブロ
ック１１４Ｅの両側面下部の中央部には、スナップボタン片１１ｍ及び１１ｎが互いに面
対称に取着され、これに対応して、シート１１５２Ｅの両側面中央部に隣接係着具１１ｏ
及び１１ｐが互いに面対称に逢着されている。
【０２３２】
隣接係着具１１ｏでは、支持片１１ｏ０の下部がシート１１５２Ｅの布袋に逢着され、
この上部にスナップボタン片１１ｏ２が取着されている。上記面対称性から、隣接係着具
１１ｐの支持片１１ｐ０、スナップボタン片１１ｐ２はそれぞれ隣接係着具１１ｏの支持
片１１ｏ０、スナップボタン片１１ｏ２に対応している。
【０２３３】
スナップボタン片１１ｏ２及び１１ｐ２をそれぞれスナップボタン片１１ｍ及び１１ｎ
に係合させ、同様に、枕側部１１Ｇの上部について図３８（Ｂ）に示すように組み付ける
ことにより、図４８（Ｂ）の状態になる。
【０２３４】
シート１１５２Ｅをブロック１１４Ｅの下側に係着させる理由は、２つある。
【０２３５】
その１つは、シート１１５２Ｅの厚みが例えば１５ｍｍ以下と比較的薄いので、仰臥状
態では、シート１１５２Ｅの内側端部が押圧されて、図４８（Ｃ）に示すように傾斜面で
カットしたのと同じ形状になり、シート１１５２Ｅが存在しない場合とほぼ同じになるこ
とである。一方、横臥状態では、図４８（Ｄ）に示すように、頭部加重がシート１１５２
Ｅに分散されて加わるので、シート１１５２Ｅを上側に積み上げた場合と同様になる。安
定度を示す図４８（Ｄ）中の距離Ｄは、一般にシートを積み上げるほど短くなるが、この
場合、シート１１５２Ｅを追加しても距離Ｄは追加前と殆ど同じになる。その結果、実施
例１２の場合と同様に、横臥状態での安定度が向上する。
【０２３６】
他の１つは、横臥時枕高さを微調整することが可能になることである。例えば、シート
１１５０Ｅ及び１１５１Ｅの厚みをいずれも１２ｍｍとし、シート１１５２Ｅの厚みを６
ｍｍとすると、ブロック１１４Ｅの上側のシート枚数０〜２によらず、シート１１５２Ｅ
を追加するかどうかで、高さを６ｍｍ単位で調整することが可能となる。もし、シート１
１５２Ｅを備えずに６ｍｍ単位で高さを調整可能にしようとすると、ブロック１１４Ｅの
上側の各シートを６ｍｍ厚とし、追加シートを全部で４枚備える必要がある。
【０２３７】
なお、ブロック１１４Ｅの下側に、広さが同じで厚みが例えば６ｍｍと１２ｍｍのシー
トをそれぞれ１枚備えてもよい。また、シート１１５２Ｅをクッション性が無いか小さい
ものにし、上記微調整の利点のみを利用してもよい。
【０２３８】
他の点は、実施例１２と同一である。
【実施例１４】
【０２３９】
図４９（Ａ）は、本発明の実施例１４で用いられる枕上部の概略分解斜視図であり、図
４９（Ｂ）は枕上部の概略分解断面図であり、図４９（Ｃ）はこの枕上部を組み付けた概
略断面図である。
【０２４０】
この枕上部は、枕上部の止め構造として図３８の考え方を応用したものである。
【０２４１】
枕カバー１６Ｆ（図４９（Ａ）ではその一部を２点鎖線で示す）の内側上面４隅に、メ
ス形スナップボタン片１６ｂ０〜１６ｂ３が取着されている。
【０２４２】
シート１４Ｄでは、任意の上方の４個のメス形スナップボタン片及び下方の任意の４個
のオス形スナップボタン片に対応して、シート１４Ｄの長手方向の辺の２隅と、下方の枕
側部の幅に略等しい両短辺上の位置とに、隣接係着具１４ｄ０〜１４ｄ３が取着されてい
る。
【０２４３】
同様に、粒状物シート１５Ｆでは、上方及び下方のそれぞれの４個のスナップボタン片
に対応して、その支持布１５９０の４隅に隣接係着具１５９１〜１５９３が取着されてい
る。粒状物シート１５Ｆは、支持布１５９０の長手方向中央部に、粒状物シート本体１５
Ｅが逢着されて構成されている。支持布１５９０の長手方向幅は、クッション性シート１
４Ｆのそれに等しく、短手方向幅は、下方の枕側部の幅に略等しい。
【０２４４】
図４９（Ｂ）及び（Ｃ）では、クッション性シート１４Ｆ内及び粒状物シート本体１５
Ｅ内の詰め物が図示省略され、また、断面のハッチングも図示省略されている。
【０２４５】
隣接係着具１４ｄ０〜１４ｄ３は、いずれも、枕カバー１６Ｆを構成する布製袋体の表
面に取着されたオス形のものと、該布製袋体の裏面に取着されたメス形のものとを備え、
メス形のものはオス形のものの真下に位置している。
【０２４６】
支持布１５９０では、一重の布の長手方向両端部が折り返されて２重になっており、上
記同様に、この２重の表側及び裏側にそれぞれ、オス形のものとメス形のものとを備え、
メス形のものはオス形のものの真下に位置している。
【０２４７】
このような構成の枕上部によれば、複数層のシートの順番を、ユーザの好みに応じて任
意に入れ替えることができ、また、各シートを容易かつ正確に位置決めすることができる
。
【０２４８】
他の点は、上記いずれかの実施例と同一である。
【実施例１５】
【０２４９】
図５０は、本発明の実施例１５の枕１０Ｊの分解斜視図である。枕１０Ｊは、枕本体１
０Ｘと枕ケース１６Ｊとからなる。まず、枕本体１０Ｘについて説明する。
【０２５０】
枕側部１１Ｊにおいて、その短手方向両側部のガイド１１６Ｊ及び１１８Ｊはいずれも
、ループ状布片であり、布袋に逢着されている。枕側部１１Ｊの長手方向外側端面のガイ
ド１１ａは、図３０のものと同一である。これらガイド１１６Ｊ、１１８Ｊ及び１１ａに
対応して、枕側部１２Ｊにガイド１２６Ｊ、１２８Ｊ及び１２ａが形成されている。枕側
部１１Ｊの他の点は、図３８のブロック１１４Ｅと同一である。枕側部１２Ｊについても
枕側部１１Ｊと同様である。
【０２５１】
帯状物３７Ｊでは、長方形の閉じた布袋が縫い目で仕切られて、両側のセグメント１５
３Ｊ及び１５４Ｊと、中央部のセグメント１５５Ｊとが形成され、これらセグメントのそ
れぞれにマイクロビーズが封入されている。
【０２５２】
セグメント１５５Ｊの外周のＵ字形セグメント１５６Ｊには、何も封入されておらず、
これにより、仰臥時において人の側頭部と枕との当接面積が低減されて、寝心地が向上す
る。また、人の首部の圧迫が回避されて、首のこりが防止される。セグメント１５５Ｊを
逆等脚台形にしているのは、後頭部の一般的な概略形状に合わせたものであり、これによ
り、前記当接面積がさらに低減されて前記寝心地がより向上する。
【０２５３】
帯状物３７Ｊの底面の長手方向両側部の短手方向中央部にはそれぞれ、図１９のリード
１４３及び１４４と同様に、リード１４３Ｊ及び１４４Ｊの一端部が逢着されている。リ
ード１４３Ｊ及び１４４Ｊの他端部にはそれぞれ、図１９のガイド１４５及び１４６の替
わりに、該他端部がループ状に折り曲げられ逢着されてガイド１４５Ｊ及び１４６Ｊが形
成されている。
【０２５４】
セグメント１５５Ｊの上辺中央点付近には、スナップボタン片１５ｄが取着されている
。
【０２５５】
クッション性シート１４Ｊの長手方向中央部かつ短手方向一端部には、逆Ｖ字形の切欠
１４Ｊ０が形成されている。これにより、仰臥状態で枕中央部が低くなっているときに、
この切欠が無かった場合にこの部分で皺が寄るのが防止される。
【０２５６】
クッション性シート１４Ｊの底面側には、その長手方向中央部において、短手方向一端
部及び他端部にそれぞれ、長方形の布で形成されたホルダー３９の長手方向の一端部及び
他端部が逢着されている。ホルダー３９の、切欠１４Ｊ０と反対側の端部中央には、スリ
ット３９０が形成されている。図３５の枕カバー１６Ｅの内部底面に逢着された面ファス
ナー片３６に対応して、ホルダー３９の、切欠１４Ｊ０側の中央部の、シート１４Ｊ側の
面に、面ファスナー片３６が逢着されている。
【０２５７】
クッション性シート１４Ｊにはまた、帯状物３７Ｊのスナップボタン片１５ｄに対応し
て、上辺中央点付近に、スナップボタン片１４ｄが取着されている。
【０２５８】
次に、枕ケース１６Ｊについて説明する。
【０２５９】
枕ケース１６Ｊでは、図３６（Ａ）のスナップボタン片１６ａ４〜１６ａ９及びスナッ
プボタン片１６９１〜１６９６が省略され、スナップボタン片１６ａ６と１６ａ７との間
に対応する部分を除いて、カバー片１６ａＪとカバー片１６９（図５０のカバー片１６ａ
Ｊとカバー片１６９Ｊ）とが短手方向にループを形成するように端部が重畳されて逢着さ
れ、該対応する部分にスリット１６４Ｊが形成される。また、切欠１４Ｊ０に対応して、
スリット１６４Ｊと反対側に絞り部１６Ｊ０が形成されている。
【０２６０】
図５１（Ａ）は、互いに離間し対向して配置された枕側部１１Ｊと枕側部１２Ｊの上に
、帯状物３７Ｊが横たわって配置された状態を示す。図５１（Ｂ）は、前記状態で、図５
０の紐３４の中点から一方側をガイド１１６Ｊ、１４５Ｊ、１１８Ｊに順次挿通させ、他
方側をガイド１２６Ｊ、１４６Ｊ、１２８Ｊに順次挿通させ、紐３４の両端部を図５０の
コードストッパー３３Ｊに挿通させ、コードストッパー３３Ｊをスリット３９０から外部
に引き出した状態を示す。図５１（Ｃ）は、前記状態のものの枕側部１２Ｊ側を、クッシ
ョン性シート１４Ｊとホルダー３９との間に挿通させ、紐３４の中点に固着された面ファ
スナー片３５を、ホルダー３９上の面ファスナー片３６に係着させ、帯状物３７Ｊのスナ
ップボタン片１５ｄにクッション性シート１４Ｊのスナップボタン片１４ｄを係着させる
ことにより組み立てられた枕本体１０Ｘを示す。
【０２６１】
図５２（Ａ）は図５１（Ｂ）に対応した試作品の写真であり、図５２（Ｂ）は図５１（
Ｃ）に対応した枕本体Ｘの試作品を底面側から見た写真であり、図５２（Ｃ）は図５２（
Ｂ）の枕本体Ｘを、紐３４の先端部を把持してぶら下げた状態の写真であり、図５２（Ｄ
）はこの枕本体Ｘを枕ケース１６Ｊ内に納めた枕１０Ｊの試作品の写真であり、図５２（
Ｅ）はこの枕１０Ｊを他の側から見た写真であり、図５２（Ｆ）はこの枕１０Ｊに頭部マ
ネキンを乗せた状態の写真である。
【０２６２】
この試作品の数値は、次の通りである。
【０２６３】
枕側部１１Ｊ、１２Ｊ：硬さ80N、サイズ200x395x45mmのウレタンフォームを長手方向
中央部で斜め４５°にカットして２等分割したもののそれぞれを、ガイドを縫い付けた布
袋で覆ったもの。
【０２６４】
帯状部３７Ｊ：リード１４３Ｊ及び１４４Ｊを縫い付けたサイズ200x540mmの布袋の両
サイドのセグメント１５３Ｊ、１５４Ｊの幅を175mm、中央部セグメント１５５Ｊの等脚
台形を上底150mm、下底100mm、高さ150mmとし、それぞれのセグメントに平均厚みが7mmと
なるように、平均直径1mmの発泡ポリスチレンのビーズを封入したもの。
【０２６５】
クッション性シート１４Ｊ：硬さ80N、サイズ540x270x10mmのウレタンフォームに底辺2
00mm、高さ70mmの2等辺3角形の切欠１４Ｊ０を形成し、布袋で覆ったもの。
【０２６６】
枕１０Ｊの中央部高さの調整は、上記実施例１０の場合と同一である。
【０２６７】
本実施例１５によれば、図５２（Ｄ）のように枕本体１０Ｘをぶら下げても、さらに枕
本体１０Ｘを放り投げても、分解されず、しかも、放り投げた後に、枕本体１０Ｘを単に
その長手方向に延ばすだけで、図５２（Ｃ）の状態になって、枕本体１０Ｘの長手方向及
び短手方向の位置ずれが殆ど無く、これにより、枕本体１０Ｘの取り扱いが容易であると
いう利点がある。
【０２６８】
また、枕ケース１６Ｊを洗濯する際には、コードストッパー３３Ｊを、スリット１６４
Ｊを介し枕ケース１６Ｊ内に押し込め、枕本体１０Ｘを枕ケース１６Ｊから引き出すだけ
でよく、洗濯後は、枕本体１０Ｘを枕ケース１６Ｊに挿入させ、コードストッパー３３Ｊ
を、スリット１６４Ｊから外部に引き出すだけでよいので、枕１０Ｊの取り扱いが容易で
あるという利点がある。
【０２６９】
また、帯状物３７Ｊにセグメント１５３Ｊ及び１５４Ｊを設けたので、横寝時に、実施
例１０の場合よりもソフトな感じがし、また、セグメント１５５Ｊとセグメント１５３Ｊ
の間及びセグメント１５５Ｊとセグメント１５４Ｊの間が離間しているので、実施例１０
の場合よりも側頭部と枕との当接面積が低減して寝心地が向上するという利点がある。
【０２７０】
さらに、クッション性シート１４Ｊに切欠１４Ｊ０を形成し、枕ケース１６Ｊに絞り部
１６Ｊ０を形成しているので、クッション性シート１４Ｊに皺がよるのが防止されるとと
もに、外観がスマートになるという利点がある。
【０２７１】
他の点は、実施例１０と同一である。
【０２７２】
なお、図５０の帯状物３７Ｊの替わりに、粒状物を封入しない帯状物と、図５０の帯状
物３７Ｊのように粒状物を封入しリード１４３Ｊ、１４４Ｊを備えない粒状物シートとを
用い、これら帯状物と粒状物シートとを着脱自在に係着させ又は該粒状物シートをクッシ
ョン性シート１４Ｊの底面側に着脱自在に係着させることにより、図５０の帯状物３７Ｊ
を用いた場合と実質的に同一になるように構成してもよい。
【０２７３】
この場合、ユーザの好みに応じて該粒状物シートを取り外すことができる。しかし、部
品点数が増えるので、構成を簡単化するには、図５０の構成が好ましい。
【０２７４】
この粒状物シートは、以上の他の実施例で述べた粒状物シートの替わりに用いてもよい
。同様に、以上の他の実施例で述べた枕ケース及びクッションシートの替わりに本実施例
のホルダー３９を備えた枕ケース１６Ｊ及びクッションシート１４Ｊを用いることにより
、枕本体の枕ケースに対する挿脱を容易にするとともに、枕の外観をスマートにしてもよ
い。
【実施例１６】
【０２７５】
図５３は、本発明の実施例１６の枕で用いられる、クッション性シート１４Ｊに取着さ
れたホルダーの構成を示す斜視図である。
【０２７６】
このホルダーは、図５０の枕側部１１Ｊ及び１２Ｊをそれぞれクッション性シート１４
との間で把持するためのバンド３９１及びバンド３９２と、面ファスナー片３５と係着さ
れる面ファスナー片３６を支持するためのブラケット（支持部）３９３とからなる。
【０２７７】
バンド３９１及び３９２は、図５０のホルダー３９の短手方向の両側縁部に対応してお
り、互いに離間して配置され、いずれも、一端部及び他端部がそれぞれクッション性シー
ト１４Ｊの短手方向の一端部及び切欠１４Ｊ０側の他端部に逢着されている。ブラケット
３９３は、布が多重化されて補強され、逆三角形にされ、その上辺が切欠１４Ｊ０の中央
側の縁部に逢着され、下端頂部に面ファスナー片３６が逢着されている。
【０２７８】
図５４（Ａ）は、このような構成のホルダーを用いた枕本体の試作品の、底面側から見
た写真であり、図５４（Ｂ）は、この試作品の、図５２（Ｃ）に対応した写真である。
【０２７９】
本実施例１６によれば、面ファスナー片３６が外部から見えるので、これに面ファスナ
ー片３５を係着させるのが容易であるという利点がある。しかし、実施例１５のホルダー
の方が実施例１６のものよりも、部品点数が少ないので、製造容易であり、製造コストを
低減できる。
【０２８０】
他の点は、実施例１５と同一である。
【実施例１７】
【０２８１】
図５５は、本発明の実施例１７の枕１０Ｋの分解斜視図である。
【０２８２】
図５０のホルダー３９がクッション性シート１４Ｊに固定されていたのに対し、この枕
１０Ｋでは、ホルダー３９が帯状物３７Ｊに固定されている。すなわち、帯状物３７Ｊの
底面側には、その長手方向中央部において、短手方向一端部及び他端部にそれぞれ、ホル
ダー３９の長手方向の一端部及び他端部が逢着されている。
【０２８３】
図５６は、図５１（Ｂ）について説明したように枕側部１１Ｊ及び１２Ｊに対し紐３４
及びコードストッパー３３Ｊを組み付けた後、枕側部１２Ｊ側を、帯状物３７Ｊとホルダ
ー３９との間に挿通させ、紐３４の中点に固定された面ファスナー片３５を、ホルダー３
９上の面ファスナー片３６に係着させ、コードストッパー３３Ｊをスリット３９０から引
き出した状態を示す。
【０２８４】
図５７（Ａ）は、図５６に対応した試作品の写真であり、図５７（Ｂ）は図５７（Ａ）
のものにクッション性シートを係着させた枕本体の試作品の写真であり、図５７（Ｃ）は
図５７（Ｂ）の試作品を底面側から見た写真であり、図５７（Ｄ）は、図５７（Ｂ）の試
作品の、図５４（Ｂ）に対応した写真である。図５７（Ｂ）の枕本体を枕ケース１６Ｊ内
に挿入すると、枕１０Ｋは図５２（Ｄ）及び図５２（Ｅ）と同じ外観になる。
【０２８５】
本実施例１７によれば、上記実施例１５と同様の効果が得られるとともに、スナップボ
タン片１５ｄからスナップボタン片１４ｄを取り外すだけで、クッション性シート１４Ｊ
を除くことができる。したがって、ユーザの好みによって、クッション性シート１４Ｊを
用いない枕本体を枕ケース１６Ｊに挿入して枕を構成することにより、仰臥状態での後頭
部高さ位置をより低くすることが可能となる。
【０２８６】
また、クッション性シート１４Ｊとは異なる材質や厚みの上部シートを用意することで
、好みに合った上部シートに取り替えることが容易にできる。
【０２８７】
なお、クッション性シート１４Ｊを除いたり取り替えをしない場合には、実施例１５の
構成の方が、枕本体を枕ケース１６Ｊ内に挿入し易いので、好ましい。
【０２８８】
他の点は、実施例１５と同一である。
【０２８９】
以上において、本発明の好適な実施例を説明したが、本発明には他にも種々の変形例が
含まれ、上記複数の実施例で述べた構成要素の他の組み合わせ、各構成要素の機能を実現
する他の構成を用いたもの、当業者であればこれらの構成又は機能から想到するであろう
他の構成も、本発明に含まれる。
【０２９０】
例えば、スナップボタンの取り付け位置は、上記のものに限定されず、その目的を達成
する位置であればよい。点ファスナーとしてのスナップボタンは、他の点ファスナーでも
よく、また、点ファスナーの替わりに面ファスナーを用いてもよい。
【０２９１】
クッション性ブロックは、少なくとも上部がクッション性部材であればよく、また、ポ
リウレタンフォームに限定されず、プレスエアーで構成したり、ビニール袋又はゴム袋に
空気を封入した構成であってもよい。空気を用いた場合は、空気量で高さを調整するもの
であってもよい。
【０２９２】
間隔制限手段で用いられるコードストッパーを用いずに、単に紐の先端部を互いに結ん
でもよい。
【０２９３】
また、枕上部は、枕収容部の上面のみであってもよい。該上面の場合、キルト、２〜５
ｍｍ厚のポリウレタンの表面に布をコーティングしたもの、又は布のみであってもよい。
粒状物は、そば殻や軟質合成樹脂製の微小パイプなどであってもよい。
【０２９４】
本発明の枕は、その構成から、仰向け寝のとき頭部を横へ移動させようとすると枕に対
しその長手方向へ力を加えやすいので、枕収容部の底面を粗面にすることで、この移動を
防止できるが、逆に円滑面にして、仰向け寝で横方向へ容易に移動できるようにすること
で、ユーザの好みに対応できるようにしてもよい。
【符号の説明】
【０２９５】
１０、１０Ａ〜１０Ｈ、１０Ｊ  枕
１０Ｘ  枕本体
１１、１１Ａ〜１１Ｇ、１１Ｂ０、１１Ｂ１、１１Ｊ、１２、１２Ａ〜１２Ｇ、１２Ｊ
枕側部
１１０、１１０Ａ〜１１０Ｃ、１１ｊ  カバー
１１１、１６８  線ファスナー
１１２０〜１１２２、１４７０、１４７１  仕切り布
１１４、１１４Ｂ、１１４Ｅ、１１４０  ブロック
１１４１  対向面傾斜シート
１１４ｂ、１１４ｂｂ、４０、４１  傾斜面
１１４ｃ  曲面
１１５０、１１５１、１１５０Ｂ、１１５１Ｂ、１１５０Ｃ、１１５１Ｃ、１１５０Ｅ
、１１５１Ｅ、１１５２Ｅ  シート
１１６、１１８、１２６、１２８、１４５、１４５Ｊ、１４６、１４６Ｊ、１５８、１
１６Ｊ、１１８Ｊ  ガイド
１１７、１１９、１１ｆ０、１１ｇ０、１１ｈ０、１１ｉ０、１１ｏ０、１１ｐ０、１
２７、１２９、１４２、１５７  支持片
１１ａ、１２ａ  ガイド
１１ｆ〜１１ｉ、１１ｏ、１１ｐ、１４ｄ０〜１４ｄ３、１５９１〜１５９４  隣接係
着具
１１ｊ０  布帯
１１ｊ１  ゴムテープ
１１ｋ０、１１ｋ１  ループ
１１ｋ２  紐
Ｓ０〜Ｓ２  点
１３、１３Ａ〜１３Ｅ  枕上部
１４、１４Ａ〜１４Ｆ、１４Ｃ０、１４Ｃ１、１４Ｊ  クッション性シート
１４Ｊ０  切欠
１４０、１４１  ゴム紐
１４３、１４３Ａ、１４３Ｊ、１４４、１４４Ａ、１４４Ｊ  リード
１４７  袋体
１４８  ベースシート
１４９０〜１４９３  サブシート
１５、１５Ａ、１５Ｅ、１５Ｆ  粒状物シート
１５０、１５１、１５２、１６７  仕切り
１５３〜１５６、１５３０、１５３１、１５４０、１５４１、１５５０、１５５１、１
５３Ｊ、１５４Ｊ、１５５Ｊ  セグメント
１５Ｅ０〜１５Ｅ３、３７５〜３７８  面ファスナー片
１６、１６Ａ〜１６Ｄ、１６Ｊ  枕ケース
１６Ｊ０  絞り部
１６Ｅ、１６Ｆ  枕カバー
１６０〜１６５  鳩目
１６４Ｊ  スリット
１６５０〜１６５２  引出孔
１６６  上面
１６９、１６９Ｊ、１６ａ、１６ａＪ  カバー片
１６９０  円滑面
１６ａ０〜１６ａ３  ゴムバンド
１６９１〜１６９６、１６ａ４〜１６ａ９、１１ｄ、１１ｅ、１１ｆ１、１１ｆ２、１
１ｇ１、１１ｇ２、１１ｈ２、１１ｉ２、１１ｏ２、１１ｐ２、１１ｍ、１１ｎ、１６ｂ
０〜１６ｂ３、１４ｄ１０、１４ｄ１１、１４ｄ２０、１４ｄ２１、１５９２０、１５９
２１、１５９３０、１５９３１、１４ｄ、１５ｄ  スナップボタン片
１７０、１７１  つまみ
２０〜２２  仮想枕
３０、３２、３４  紐
３１、３３、３３Ｊ  コードストッパー
３５、３６  面ファスナー片
３７、３７Ａ、３７Ｊ  帯状物
３７０、３７１  帯状物片
３７０ａ、３７１ａ  凸辺
３７Ａ０、３７Ａ１  収容部
３８  ブリッジ
３９  ホルダー
３９０  スリット
３９１、３９２  バンド
３９３  ブラケット
【要約】
【課題】仰臥状態での後頭部高さ位置をより低くできるようにする。
【解決手段】一対の枕側部１１Ｊ、１２Ｊは、直方体ウレタンフォームの中央部を斜め４
５°でカットして２等分割したもののそれぞれを、ガイドを縫い付けた布袋で覆ったもの
である。紐３４の中点から一方側をガイド１１６Ｊ、１４５Ｊ、１１８Ｊに順次挿通させ
、他方側をガイド１２６Ｊ、１４６Ｊ、１２８Ｊに順次挿通させ、紐３４の両端部をコー
ドストッパー３３Ｊに挿通させ、これをスリット３９０から外部に引き出す。コードスト
ッパー３３Ｊから出た紐の長さを調節することにより、一対の枕側部の間隔の増加が制限
される。
【選択図】図５１【図１】
0005844928.tif 000002
【図２】
0005844928.tif 000003
【図３】
0005844928.tif 000004
【図４】
0005844928.tif 000005
【図５】
0005844928.tif 000006
【図６】
0005844928.tif 000007
【図７】
0005844928.tif 000008
【図８】
0005844928.tif 000009
【図９】
0005844928.tif 000010
【図１０】
0005844928.tif 000011
【図１１】
0005844928.tif 000012
【図１２】
0005844928.tif 000013
【図１３】
0005844928.tif 000014
【図１４】
0005844928.tif 000015
【図１５】
0005844928.tif 000016
【図１６】
0005844928.tif 000017
【図１７】
0005844928.tif 000018
【図１８】
0005844928.tif 000019
【図１９】
0005844928.tif 000020
【図２０】
0005844928.tif 000021
【図２１】
0005844928.tif 000022
【図２２】
0005844928.tif 000023
【図２３】
0005844928.tif 000024
【図２４】
0005844928.tif 000025
【図２５】
0005844928.tif 000026
【図２６】
0005844928.tif 000027
【図２７】
0005844928.tif 000028
【図２８】
0005844928.tif 000029
【図２９】
0005844928.tif 000030
【図３０】
0005844928.tif 000031
【図３１】
0005844928.tif 000032
【図３２】
0005844928.tif 000033
【図３３】
0005844928.tif 000034
【図３４】
0005844928.tif 000035
【図３５】
0005844928.tif 000036
【図３６】
0005844928.tif 000037
【図３７】
0005844928.tif 000038
【図３８】
0005844928.tif 000039
【図３９】
0005844928.tif 000040
【図４０】
0005844928.tif 000041
【図４１】
0005844928.tif 000042
【図４２】
0005844928.tif 000043
【図４３】
0005844928.tif 000044
【図４４】
0005844928.tif 000045
【図４５】
0005844928.tif 000046
【図４６】
0005844928.tif 000047
【図４７】
0005844928.tif 000048
【図４８】
0005844928.tif 000049
【図４９】
0005844928.tif 000050
【図５０】
0005844928.tif 000051
【図５１】
0005844928.tif 000052
【図５２】
0005844928.tif 000053
【図５３】
0005844928.tif 000054
【図５４】
0005844928.tif 000055
【図５５】
0005844928.tif 000056
【図５６】
0005844928.tif 000057
【図５７】
0005844928.tif 000058